(57)【要約】      （修正有）【課題】データ転送機能が改善された電子装置を提供する。【解決手段】電子装置１０、２０は無線回路を備え得る。無線回路は、１つ以上のアンテナと、第１及び第２の無線周波モジュールとを含み得る。装置は、誘電体アンテナ窓を有する導電性筐体を含み得る。第１のモジュールは、第１の通信帯域において第１のミリ波信号を生成し得る。アンテナは、送信電力レベルで誘電体アンテナ窓を介して第１の信号を外部機器に送信し得る。アンテナは、誘電体アンテナ窓を介して第２の通信帯域において制御信号を外部機器から受信し得る。第１及び第２の通信帯域は１０ＧＨｚより大きい周波数を含み得る。第２のモジュールは、受信された無線制御信号を第１のモジュールに送って、アンテナによって送信された第１のミリ波信号の送信電力レベルを調節し得る。デュプレクサは、第１及び第２の通信帯域を隔離するためにモジュールとアンテナとの間に介在し得る。【選択図】図１
0003211410.tif 000002
【実用新案登録請求の範囲】
【請求項１】
外部電子装置と無線通信する電子装置であって、
導電筐体と、
前記導電筐体における誘電体アンテナ窓と、
第１のＥＨＦ帯域において第１の極高周波数（ＥＨＦ）信号を生成する第１の無線周波送受信機と、
前記誘電体アンテナ窓を通って前記第１のＥＨＦ信号を前記外部電子装置に送信し、前記誘電体アンテナ窓を通って第２のＥＨＦ信号を前記外部電子装置から受信するアンテナであって、前記第２のＥＨＦ信号は前記第１のＥＨＦ帯域と異なる第２のＥＨＦ帯域にある、アンテナと、
前記アンテナから前記第２のＥＨＦ信号を受信する第２の無線周波送受信機と、
前記第１の無線周波送受信機に繋がる第１のポート、前記第２の無線周波送受信機に繋がる第２のポート、及び、前記アンテナに繋がる第３のポートを有するデュプレクサであって、前記デュプレクサは前記第２のＥＨＦ信号から前記第１のＥＨＦ信号を隔離するよう構成される、デュプレクサと、
を備える電子装置。
【請求項２】
前記第１の無線周波送受信機は第１の無線周波モジュールに形成され、前記第２の無線周波送受信機は前記第１の無線周波モジュールとは異なる第２の無線周波モジュールに形成される、請求項１に記載の電子装置。
【請求項３】
前記デュプレクサは共振導波構造体を有する、請求項１に記載の電子装置。
【請求項４】
前記第１及び第２のＥＨＦ帯域はそれぞれ１０ＧＨｚより大きい周波数を有する、請求項１に記載の電子装置。
【請求項５】
前記第１のＥＨＦ帯域は６２．５ＧＨｚ周波数帯域を有し、前記第２のＥＨＦ帯域は５８．５ＧＨｚ周波数帯域を有する、請求項４に記載の電子装置。
【請求項６】
前記外部電子装置は、送信電力レベルで前記第２のＥＨＦ信号を送信し、
前記電子装置は、
前記受信した第２のＥＨＦ信号と関連付けられるリンク品質を識別するよう構成され、且つ、前記識別したリンク品質に基づいて制御信号を生成するよう構成される処理回路を更に備え、
前記アンテナは前記第１のＥＨＦ帯域において前記誘電体アンテナ窓を通って前記制御信号を前記外部電子装置に送信するよう構成され、
前記送信した制御信号は前記外部電子装置に前記第２のＥＨＦ信号の送信電力レベルを調節するよう指示する、請求項１に記載の電子装置。
【請求項７】
前記アンテナは、前記送信電力レベルで前記第１のＥＨＦ信号を送信するよう構成され、前記アンテナは前記第２のＥＨＦ帯域において前記外部電子装置から制御信号を受信するよう構成され、前記第２の無線周波送受信機は前記アンテナによって受信された前記制御信号を前記第１の無線周波送受信機に伝達するよう構成され、前記第１の無線周波送受信機は前記制御信号に基づいて前記送信電力レベルを調節するよう構成される、請求項１に記載の電子装置。
【請求項８】
追加のアンテナであって、前記追加のアンテナは前記誘電体アンテナ窓を通って前記第１のＥＨＦ信号を前記外部電子装置に送信するよう構成され、且つ、前記誘電体アンテナ窓を通って前記第２のＥＨＦ信号を前記外部電子装置から受信するよう構成される、追加のアンテナを更に備える、請求項１に記載の電子装置。
【請求項９】
前記アンテナを含む位相アンテナアレイと、
制御回路であって、前記制御回路は前記位相アンテナアレイを制御して前記誘電体アンテナ窓を通って前記第１のＥＨＦ信号にビームステアリング動作を実施するよう構成される、制御回路と、
を更に備える、請求項１に記載の電子装置。
【請求項１０】
前記第１の無線周波送受信機の入力に繋がるベースバンドプロセッサ回路であって、前記ベースバンドプロセッサ回路はベースバンド信号のどのパケット化も実施することなく前記第１のＥＨＦ信号に対応する前記ベースバンド信号を前記第１の無線周波送受信機に送るよう構成される、ベースバンドプロセッサ回路を更に備える、請求項１に記載の電子装置。
【請求項１１】
前記第１の無線周波送受信機は、デバッグ回路であって、前記デバッグ回路はテストビットの疑似ランダムシーケンスを生成するよう構成され、前記誘電体アンテナ窓を通って前記外部電子装置への送信のために前記アンテナに前記テストビットの疑似ランダムシーケンスを注入するよう構成される、デバッグ回路を有する、請求項１に記載の電子装置。
【請求項１２】
ディスプレイカバー層を有するディスプレイを更に備え、前記導電筐体は前記ディスプレイカバー層に対向する前記電子装置に対する平面背面を有し、前記導電筐体は前記平面背面から前記ディスプレイカバー層まで延在する側壁構造体を含み、前記誘電体アンテナ窓は前記導電筐体の前記平面背面における開口部に形成される、請求項１に記載の電子装置。
【請求項１３】
ミリ波回路、制御回路、及び、アンテナ構造体を含む、外部通信機器とミリ波無線通信を実施する電子装置を動作させる方法であって、
前記ミリ波回路を用いて、第１のミリ波通信帯域において無線周波信号を生成することと、
前記アンテナ構造体を用いて、送信電力レベルで前記無線周波信号を前記外部通信機器に送信することと、
前記アンテナ構造体を用いて、第２のミリ波通信帯域において無線制御信号を前記外部機器から受信することであって、前記第１及び第２のミリ波通信帯域それぞれが１０ＧＨｚより大きい周波数を含む、ことと、
前記制御回路を用いて、前記受信した無線制御信号に基づいて前記送信電力レベルを調節することと、
を含む方法。
【請求項１４】
前記電子装置は、前記制御信号を受信する追加のミリ波回路を含み、前記制御回路は前記追加のミリ波回路に対して制御ロジックを有し、
前記送信電力レベルを調節することは、前記制御ロジックを用いて、チップ間通信路により送信電力レベル調節を識別する制御信号をミリ波回路に供給することを含む、請求項１３に記載の方法。
【請求項１５】
前記アンテナ構造体を用いて、前記外部通信機器から前記第２のミリ波通信帯域において追加の無線周波信号を受信することであって、前記追加の無線周波信号は無線制御信号とは別個である、ことと、
前記追加のミリ波回路を用いて、前記受信した追加の無線周波信号を前記制御回路に伝達することと、
を更に含む、請求項１４に記載の方法。
【請求項１６】
前記制御回路を用いて、前記受信した追加の無線周波信号と関連付けられるリンク品質が十分かを判定することと、
前記制御回路を用いて、前記受信した追加の無線周波信号と関連付けられるリンク品質が不十分であると識別したことに応じて前記外部通信機器に対する電力レベル調節を識別する追加の無線制御信号を生成することと、
前記ミリ波回路を用いて、前記第１のミリ波通信帯域において前記アンテナ構造体を通じて前記追加の無線制御信号を前記外部通信機器に送信することと、
を更に含む、請求項１５に記載の方法。
【請求項１７】
前記受信した追加の無線周波信号と関連付けられるリンク品質が十分かを判定することは、前記受信した追加の無線周波信号から無線性能指標データを生成することを含み、前記第１及び第２のミリ波通信帯域はそれぞれ６０ＧＨｚ周波数帯域を有し、前記電子装置は、第１及び第２の誘電体アンテナ窓を含む導電筐体を有し、前記アンテナ構造体は、第１及び第２のアンテナを有し、前記第１のアンテナは前記第１の誘電体アンテナ窓を通って前記無線周波信号を送信し、前記第２のアンテナは前記第２の誘電体アンテナ窓を通って前記無線制御信号及び前記追加の無線周波信号を受信する、請求項１６に記載の方法。
【請求項１８】
前記アンテナ構造体はアンテナを含み、前記電子装置は前記ミリ波回路に繋がる第１のポート、前記追加のミリ波回路に繋がる第２のポート、及び、前記アンテナに繋がる第３のポートを有するデュプレクサを含み、
前記デュプレクサを用いて、前記無線周波信号を前記第１のポートから前記第３のポートに伝達することと、
前記デュプレクサを用いて、前記追加の無線周波信号及び前記無線制御信号を前記第３のポートから前記第２のポートに伝達することと、
前記デュプレクサを用いて前記第１のミリ波通信帯域において前記無線周波信号から前記第２のポートを隔離することであって、前記電子装置は誘電体アンテナ窓を有する導電筐体を含む、ことと、
前記アンテナを用いて、前記誘電体アンテナ窓を通って前記無線周波信号を前記外部通信機器に送信することと、
前記アンテナを用いて、前記誘電体アンテナ窓を通って前記追加の無線周波信号及び前記無線制御信号を前記無線機器から受信することであって、前記第１のミリ波通信帯域は１０ＧＨｚ〜６０ＧＨｚの通信帯域を含み、前記第２のミリ波通信帯域は６０ＧＨｚ〜４００ＧＨｚの通信帯域を含む、ことと、
を更に含む、請求項１６に記載の方法。
【請求項１９】
外部装置と無線通信するよう構成される電子装置であって、
ディスプレイと、
前記ディスプレイに対向する背面を有する金属筐体と、
前記金属筐体の前記背面における誘電体窓と、
第１のミリ波周波数帯域において無線周波信号を生成する無線周波モジュールと、
前記誘電体窓を通って前記外部装置から第２のミリ波周波数帯域において無線制御信号を受信し、前記誘電体窓を通って前記生成された無線周波信号を前記外部装置に送信するアンテナであって、前記アンテナは無線周波信号を送信電力レベルで送信し、前記第２のミリ波周波数帯域は前記第１のミリ波周波数帯域と異なる、アンテナと、
前記受信した無線制御信号に基づいて前記送信電力レベルを調節するよう構成される制御回路と、
前記無線周波モジュールと前記アンテナとの間に連結されるデュプレクサであって、前記デュプレクサは前記第２のミリ波周波数帯域から前記第１のミリ波周波数帯域を隔離するよう構成される、デュプレクサと、
を備える電子装置。
【請求項２０】
前記アンテナは前記誘電体窓を通って前記第２のミリ波帯域において追加の無線周波信号を受信するよう構成され、前記電子装置は、
前記デュプレクサを通って前記追加の無線周波信号を受信し、前記追加の無線周波信号を前記制御回路に伝達する追加の無線周波モジュールを更に備え、前記制御回路は前記受信した追加の無線周波信号に基づいて前記外部装置に対する送信電力レベル調節を識別し、前記無線周波モジュールは前記アンテナを通じ前記第１のミリ波周波数帯域において前記外部装置に対する前記送信電力レベル調節を識別する追加の無線制御信号を前記外部装置に送信するよう構成され、前記第１のミリ波周波数帯域は５８．５ＧＨｚ周波数帯域を有し、前記第２のミリ波周波数帯域は６２．５ＧＨｚ周波数帯域を有する、請求項１９に記載の電子装置。
【考案の詳細な説明】
【技術分野】
【０００１】
〔関連出願の相互参照〕
本願は、２０１６年１月２９日に提出された米国特許仮出願第６２／２８９，０９２号の優先権を主張するものであり、引用によってその全体が本願に組み込まれる。
【０００２】
本願は、全般的に電子装置に関し、更に特に、通信回路を有する電子装置に関する。
【背景技術】
【０００３】
電子装置は、多くの場合、外部装置にデータを転送するために通信回路を使用する。従来の電子装置は、ユニバーサルシリアルバス（ＵＳＢ）ポート、周辺構成要素相互接続エクスプレス（ＰＣＩｅ）ポート、Ｔｈｕｎｄｅｒｂｏｌｔポート、又は、外部装置でデータを伝達するための任意の他の所望のポート等の有線データポートを含む。有線データポートにより伝達されるデータは、高精細映像及び音声データ等の大きいデータファイルを含むことが多い。有線データポートは、比較的高いデータ転送レートを可能にする（すなわち、毎秒１ビット以上のデータレート）。有線データポートを使用して得られ得る高データレートにより、比較的短い時間で大きいデータファイルが外部装置に転送されることができる。しかしながら、有線データポートは嵩張り、電子装置において過剰なスペースを占有し得る。
【考案の概要】
【考案が解決しようとする課題】
【０００４】
したがって、データ転送機能が改善された電子装置を提供可能であることが望ましい。
【課題を解決するための手段】
【０００５】
電子装置には無線回路が設けられ得る。無線回路は、１つ以上のアンテナを含み得る。アンテナは、１０ＧＨｚ以上の周波数でミリ波無線通信を扱うために使用され得る。
【０００６】
電子装置は、導電性筐体を含み得る。必要に応じて、装置は、非導電性筐体、又は、導電性材料と非導電性材料との組合せから形成された筐体を含み得る。導電性筐体にはディスプレイカバー層を有するディスプレイが形成され得る。導電性筐体は、ディスプレイカバー層に対向する背面平面を含み得る。導電性筐体は、背面平面からディスプレイカバー層に延在する導電性側壁構造体を含み得る。導電性筐体の背面における開口部内には誘電体アンテナ窓が形成され得る。アンテナは、誘電体アンテナ窓の後ろに搭載され得、１０ＧＨｚより大きい極高周波数（ＥＨＦ）で誘電体アンテナ窓を介してミリ波信号を伝達し得る。
【０００７】
電子装置は、第１及び第２の無線周波モジュール等の無線周波回路を含み得る。第１の無線周波モジュールは、第１のＥＨＦ通信帯域において第１のミリ波信号を生成し得る。アンテナは、送信電力レベルで誘電体アンテナ窓のうちの所与の１つを介して第１のミリ波信号を外部機器に送信し得る。アンテナは、同じ誘電体アンテナ窓を介して、又は、追加の誘電体アンテナ窓を介して外部機器から第２のミリ波信号を第２のＥＨＦ通信帯域において受信し得る。アンテナは、誘電体アンテナ窓を介して外部機器から無線制御信号を第２のＥＨＦ通信帯域において受信し得る。第１及び第２のＥＨＦ通信帯域は、同じＥＨＦ周波数を網羅し得、又は、異なるＥＨＦ周波数を網羅し得る。ＥＨＦ通信帯域のうちの１つ又は両方は、例えば、６０ＧＨｚ通信帯域、６２．５ＧＨｚ通信帯域、５８．５ＧＨｚ通信帯域、又は、１０ＧＨｚより大きい任意の他の通信帯域であり得る。
【０００８】
電子装置は、第１の無線周波モジュールに繋がった第１のポート、第２の無線周波モジュールに繋がった第２のポート、及び、アンテナに繋がった第３のポートを有するデュプレクサを含み得る。デュプレクサは、第１のポートの信号を第２のポートへの漏れから隔離し得る。デュプレクサは、受信された第２のミリ波信号及び受信された無線制御信号を第２の無線周波モジュールに送り得る。
【０００９】
第２の無線周波モジュールは、受信された無線制御信号を第１の無線周波モジュールに送って、アンテナによって送信された第１のミリ波信号の送信電力レベルを調節し得る。第２の無線周波モジュールは、第２のミリ波信号を制御回路に送り得る。制御回路は、第２のミリ波信号から無線性能指標データを生成することによって、第２のミリ波信号と関連付けられたリンク品質を識別し得る。制御回路は、識別されたリンク品質に基づいて送信電力レベル調節を識別し得る。制御回路は、送信電力レベル調節を識別する追加の制御信号をアンテナにより外部機器に伝達し得る。
【考案の効果】
【００１０】
上述の配置のいずれかによれば、制御回路は、第１及び／又は第２のミリ波信号と関連付けられた無線リンク品質を評価するためにアンテナにテストビットの疑似ランダムシーケンスを注入し得る。
【００１１】
上述の配置のいずれかによれば、アンテナは第１のミリ波信号を送信する位相アンテナアレイに配置され得る。制御回路は、位相アンテナアレイに供給された第１のミリ波信号の相対位相を制御して、誘電体アンテナ窓を介して送信された第１のミリ波信号にビームステアリング動作を実施し得る。
【００１２】
上述の配置のいずれかによれば、電子装置は、所与の誘電体アンテナ窓を介して第１のＥＨＦ帯域において信号を送信するための、且つ、誘電体アンテナ窓を介して第２のＥＨＦ帯域において信号を受信するための単一のアンテナを含み得る。
【００１３】
上述のいずれかの配置のいずれかによると、電子装置は、第１及び第２のアンテナと、第１及び第２の誘電体アンテナ窓とを含み得る。第２のアンテナは、第２の誘電体アンテナ窓を介して第２のミリ波信号及び無線制御信号を受信し得る。第１のアンテナは、第１の誘電体アンテナ窓を介して第１のミリ波信号を送信し得る。このシナリオでは、第１及び第２のミリ波信号は、同じＥＨＦ通信帯域にあり得る。
【図面の簡単な説明】
【００１４】
【図１】一実施形態に係る、ミリ波通信リンクにより外部装置と通信する無線通信回路を有する例示的な電子装置の概略図である。
【図２】一実施形態に係る、ミリ波通信を実施するためのアンテナを有する電子装置の斜視図である。
【図３】一実施形態に係る、ミリ波通信を実施するための例示的な無線周波通信モジュールのブロック図である。
【図４】一実施形態に係る、第１の電子装置と第２の電子装置との間のミリ波通信リンクの送信電力レベルを最適化するために第１及び第２の電子装置によって実施され得る例示的なステップのフロー図である。
【図５】一実施形態に係る、注入されたテストビットパターンを使用してミリ波通信リンクの品質を評価するために無線周波通信モジュールによって実施され得る例示的なステップのフロー図である。
【図６】一実施形態に係る、例示的な電子装置が、多数のアンテナを使用してミリ波通信リンクを扱うための各アンテナ窓をいかにして含み得るかを示す図である。
【図７】一実施形態に係る、例示的な電子装置が、単一のアンテナを使用して多数のミリ波通信リンクを扱うための単一のアンテナ窓をいかにして含み得るかを示す図である。
【図８】一実施形態に係る、例示的な電子装置が、単一のアンテナにより且つ単一のアンテナ窓により異なるミリ波帯域においてミリ波信号を同時に伝達するフィルタ処理回路をいかにして含み得るかを示す図である。
【図９】一実施形態に係る、図８に示されたタイプの例示的な電子装置が、単一のアンテナ窓を介してミリ波信号を送信するための多数のアンテナをいかにして含み得るかを示す図である。
【図１０】一実施形態に係る、簡略化されたベースバンドプロセッサが、ビームステアリング動作を実施する無線周波回路にデータをいかにして供給し得るかを示すブロック図である。
【図１１】一実施形態に係る、ミリ波信号を伝達するための単一のアンテナ窓を有する例示的な電子装置が、外部装置に対する装置の向きにいかにして鈍感であり得るかを示す図である。
【考案を実施するための形態】
【００１５】
図１の電子装置１０等の電子装置は、無線回路を含み得る。無線回路は１つ以上のアンテナを含み得る。アンテナは、ミリ波通信を扱うために使用され得る。極高周波数（ＥＨＦ）通信としばしば称されるミリ波通信は、６０ＧＨｚ又は約１０ＧＨｚ〜４００ＧＨｚの間の他の周波数における信号を伴う。必要に応じて、装置１０は、衛星航法システム信号、セルラー電話信号、ローカル無線エリアネットワーク信号、近距離通信、光ベース無線通信、又は、他の無線通信を扱う無線通信回路も含み得る。
【００１６】
電子装置１０は、ラップトップコンピュータ、組込み型コンピュータ含むコンピュータモニタ、タブレットコンピュータ、セルラー電話機、メディアプレーヤ、又は他のハンドヘルド型若しくはポータブル電子装置等のコンピューティング装置、腕時計型装置、ペンダント型装置、ヘッドホン若しくはイヤホン型装置、眼鏡若しくはユーザの頭部に装着される他の機器に組み込まれた装置、又は他のウェアラブルな若しくはミニチュア装置等のより小型の装置、テレビ、組込み型コンピュータを含まないコンピュータディスプレイ、ゲーミング装置、ナビゲーション装置、ディスプレイを有する電子機器がキヨスク又は自動車に搭載されたシステム等の組込み型システム、これらの装置のうちの２つ以上の機能を実施する機器、或いは他の電子機器であり得る。図１の例示的な構成では、装置１０は、セルラー電話機、メディアプレーヤ、タブレットコンピュータ、ウェアラブル装置、又は、他のポータブルコンピューティング装置等のポータブル装置である。必要に応じて、他の構成が装置１０に使用され得る。図１の実施例は例示的にすぎない。
【００１７】
電子装置１０は、外部電子装置１２等の外部電子装置と無線通信し得る。互いに無線通信している間、装置１０及び１２は、無線通信システム８と本明細書においてしばしば総称されることもある。電子装置１２は、ラップトップコンピュータ、組込み型コンピュータ含むコンピュータモニタ、タブレットコンピュータ、セルラー電話機、メディアプレーヤ、又は他のハンドヘルド型若しくはポータブル電子装置等のコンピューティング装置、腕時計型装置、ペンダント型装置、ヘッドホン若しくはイヤホン型装置、眼鏡若しくはユーザの頭部に装着される他の機器に組み込まれた装置、又は他のウェアラブルな若しくはミニチュア装置等のより小型の装置、テレビ、組込み型コンピュータを含まないコンピュータディスプレイ、ゲーミング装置、ナビゲーション装置、ディスプレイを有する電子機器がキヨスク又は自動車に搭載されたシステム等の組込み型システム、これらの装置のうちの２つ以上の機能を実施する機器、或いは他の電子機器であり得る。
【００１８】
電子装置１０は、第１の電子装置１０又は一次電子装置１０と本明細書においてしばしば称されることもあり、電子装置１２は、第２の電子装置１２、二次電子装置１２、外部電子装置１２、又は、周辺電子装置１２と本明細書においてしばしば称されることもある。１つの好適な配置では、二次装置１２は、一次装置１０の動作をサポートするアクセサリ又は周辺装置であり得る。例えば、二次装置１２は、ドッキング装置、同期装置、充電装置、又は、一次装置１０用の他のアクセサリ装置であり得る。図１の実施例は例示的にすぎず、必要に応じて、他の構成が装置１２に使用され得る。
【００１９】
図１は、装置１０及び１２において使用され得る例示的な構成要素を示す概略図である。図１に示されているように、第１の装置１０は、記憶及び処理回路１６等の記憶及び処理回路と、入出力回路１８等の入出力（Ｉ／Ｏ）回路とを含み得る。記憶及び処理回路１６並びに入出力回路１８は、筐体１４等の電子装置の筐体構造体内に封入され得る。エンクロージャ又はケースとしばしば称されることもある筐体１４は、プラスチック、ガラス、セラミック、繊維複合体、金属（例えば、ステンレス鋼、アルミニウム等）、他の好適な材料、又は、これら材料のうちの任意の２つ以上の組合せから形成され得る。筐体１４は、筐体１４の一部又は全部が単一の構造体として機械加工又は成形される単一ボディ構成を使用して形成され得、或いは、多数の構造体（例えば、内部フレーム構造体、外部筐体表面を形成する１つ以上の構造体等）を使用して形成され得る。
【００２０】
第１の装置１０における記憶及び処理回路１６は、ハードディスクドライブ記憶装置、非揮発性メモリ（例えば、フラッシュメモリ、又はソリッドステートドライブを形成するように構成された他の電気的にプログラム可能な読み出し専用メモリ）、揮発性メモリ（例えば、スタティック又はダイナミックランダムアクセスメモリ）等の記憶装置を含み得る。記憶及び処理回路１６の処理回路は、第１の装置１０の動作を制御するために使用され得る。この処理回路は、１つ以上のマイクロプロセッサ、マイクロコントローラ、デジタル信号プロセッサ、ベースバンドプロセッサ集積回路、特定用途向け集積回路等に基づき得る。
【００２１】
記憶及び処理回路１６は、インターネット閲覧アプリケーション、ボイスオーバーインターネットプロトコル（ＶＯＩＰ）通話アプリケーション、電子メールアプリケーション、メディア再生アプリケーション、オペレーティングシステム機能、データ転送アプリケーション等のソフトウェアを第１装置１０で実行するために使用され得る。外部機器との双方向作用をサポートするために、記憶及び処理回路１６は通信プロトコルを実施する際に使用され得る。記憶及び処理回路３０を使用して実施され得る通信プロトコルは、インターネットプロトコル、無線ローカルエリアネットワークプロトコル（例えば、ＩＥＥＥ  ８０２．１１プロトコル、ＷｉＦｉ（登録商標）としばしば称される）、Ｂｌｕｅｔｏｏｔｈ（登録商標）プロトコル等の他の短距離無線通信リンク用のプロトコル、セルラー電話プロトコル、ＭＩＭＯプロトコル、アンテナダイバーシティプロトコル、衛星航法システムプロトコル等を含む。
【００２２】
第１の装置１０の入出力回路１８は、入出力装置２６を含み得る。入出力装置２６は、第１の装置１０へのデータの供給及び第１の装置１０から外部装置へのデータの供給を可能にするために使用され得る。入出力装置２６は、ユーザインターフェース装置、データポート装置、及び、他の入出力構成要素を含み得る。例えば、入出力装置は、タッチスクリーン、タッチセンサ機能を有さないディスプレイ、ボタン、ジョイスティック、スクロールホイール、タッチパッド、キーパッド、キーボード、マイクロフォン、カメラ、スピーカ、状態インジケータ、光源、オーディオジャック及び他の音声ポート構成要素、デジタルデータポート装置、光センサ、加速度計又は地球に対する動き及び装置の向きを検出することができる他の構成要素、静電容量センサ、近接センサ（例えば、静電容量近接センサ及び／又は赤外線近接センサ）、磁気センサ、コネクタポートセンサ又は第１の装置１０がドックに搭載されているかを判定する他のセンサ、並びに、他のセンサ及び入出力構成要素を含み得る。
【００２３】
入出力回路１８は、外部機器と無線で通信する無線通信回路２８を含み得る。無線通信回路２８は、１つ以上の集積回路から形成された無線周波（ＲＦ）送受信機回路、電力増幅器回路、低ノイズ入力増幅器、パッシブＲＦコンポーネント、アンテナ３０等の１つ以上のアンテナ、送信ライン、及び、ＲＦ無線信号を扱う他の回路を含み得る。無線信号はまた、光を使用して（例えば、赤外線通信を使用して）送られ得る。
【００２４】
無線通信回路２８は、ベースバンド周波数で送信された及び／又は受信された信号を扱うベースバンドプロセッサ回路３２を含み得る。ベースバンドプロセッサ回路３２は、任意の所望の数の別個のベースバンドプロセッサ（例えば、１つのベースバンドプロセッサ、２つのベースバンドプロセッサ、３つ以上のベースバンドプロセッサ等）を含み得る。ベースバンドプロセッサ回路３２は、経路３６によりベースバンド信号を無線周波回路３４に供給し得、及び／又は、経路３６によりベースバンド信号を無線周波回路３４から受信し得る。
【００２５】
無線周波回路３４は、ベースバンド信号を送信用の無線周波信号にアップコンバートし得、アンテナ３０により受信された無線周波信号をダウンコンバートしてベースバンドプロセッサ回路３２用のベースバンド信号を生成し得る。ベースバンドプロセッサ回路３２は、任意の所望の無線周波通信帯域により送信及び／又は受信される信号のベースバンドバージョンを扱い得る。
【００２６】
無線周波回路３４は、１つ以上の無線周波（ＲＦ）モジュール回路４０（例えば、第１のＲＦモジュール４０−１、Ｎ番目のＲＦモジュール４０−Ｎ等）を含み得る。各無線周波モジュール４０は、対応する通信帯域において無線周波信号を扱い得る。各無線周波モジュール４０は、対応する送受信機回路、フィルタ処理回路、送信ライン構造体、増幅器回路、データ変換回路、マッチング回路、制御ロジック、又は、対応する周波数帯域において無線周波信号を扱う任意の他の所望の回路を含み得る。各ＲＦモジュール４０は、対応する集積回路（チップ）上に形成され得る。必要に応じて、ＲＦモジュール４０のうちの２つ以上が共通の基板上に又は共通の集積回路チップ上に形成され得る。モジュール４０のうちの２つ以上は、例えば、ベースバンドプロセッサ３２と共通の基板又は集積回路上に形成され得、或いは、ベースバンドプロセッサ３２とは別個の基板又は集積回路上に形成され得る。必要に応じて、ＲＦ回路３４及びベースバンド回路３２は、別個の集積回路チップ上に形成され得、又は、両方とも同じ集積回路チップ上に形成され得る。必要に応じて、無線周波回路３４は、フィルタ処理回路、混合回路、増幅器回路、送信ライン構造体、マッチング回路、データ変換回路（例えば、アナログ／デジタル変換器回路又はデジタル／アナログ変換器回路）、スイッチング回路、及び／又は、ＲＦモジュール４０上に形成された回路とは別個の無線周波信号を扱う任意の他の所望の回路を含み得る。
【００２７】
無線周波回路３４は、様々な無線周波通信帯域において無線周波通信を扱い得る。無線周波回路３４は、ＷｉＦｉ（登録商標）（ＩＥＥＥ  ８０２．１１）通信用の２．４ＧＨｚ及び５ＧＨｚ帯域を扱い２．４ＧＨｚのＢｌｕｅｔｏｏｔｈ（登録商標）通信帯域を扱う無線ローカルエリアネットワーク送受信機回路を含み得る。回路３４は、７００〜９６０ＭＨｚの低通信帯域、１７１０〜２１７０ＭＨｚの中帯域、及び２３００〜２７００ＭＨｚの高帯域、又は７００ＭＨｚ〜２７００ＭＨｚの間の若しくは他の好適な周波数の他の通信帯域（例として）等の周波数範囲における無線通信を扱うセルラー電話送受信機回路を含み得る。回路３４は、音声データや非音声データを扱い得る。
【００２８】
無線周波回路３４は、極高周波数（例えば、１０ＧＨｚ〜４００ＧＨｚのミリ波周波数又は他のミリ波周波数）において通信をサポートするミリ波送受信機回路を含み得る。無線周波回路３４は、ミリ波回路３４と本明細書においてしばしば称されることもある。回路３４は、１５７５ＭＨｚにおいてＧＰＳ信号を受信する又は他の衛星位置データ（例えば、１６０９ＭＨｚにおいてＧＬＯＮＡＳＳ信号）を扱う全地球測位システム（ＧＰＳ）受信機回路等の衛星航法システム回路を含み得る。第１の装置１０用の衛星航法システム信号は、地球を周回する衛星の群から受信される。
【００２９】
衛星航法システムリンク、セルラー電話機リンク及び他の遠距離リンクでは、無線信号は数千フィート又はマイルにわたってデータを伝達するために典型的には使用される。ＷｉＦｉ（登録商標）及びＢｌｕｅｔｏｏｔｈ（登録商標）リンク及び他の短距離無線リンクでは、無線信号は数十又は数百フィートにわたってデータを伝達するために典型的には使用される。回路３４における極高周波数（ＥＨＦ）無線送受信機回路は、視線経路により送信機と受信機との間にわたるこれら短距離にわたって信号を伝達し得る。ミリ波通信用の信号受信を向上するために、位相アンテナアレイ及びビームステアリング技術が必要に応じて使用され得る。ブロックされた又はさもなければ第１の装置１０の動作環境により劣化したアンテナが使用不可能状態に切り換えられ得、これらのアンテナの代わりにより高性能なアンテナが使用され得ることを確実にするためにアンテナダイバーシティスキームも使用され得る。
【００３０】
無線周波通信回路３４は、必要に応じて、他の短距離及び長距離無線リンク用の回路を含み得る。例えば、無線通信回路３４は、テレビ及びラジオ信号を受信する回路、ページングシステム送受信機、近距離通信（ＮＦＣ）回路等を含み得る。
【００３１】
無線通信回路２８におけるアンテナ３０は、任意の好適なアンテナタイプを使用して形成され得る。例えば、アンテナ３０は、ループアンテナ構造体、パッチアンテナ構造体、逆Ｆアンテナ構造体、スロットアンテナ構造体、平面逆Ｆアンテナ構造体、螺旋アンテナ構造体、これらの設計のハイブリッド等から形成されている共振要素を有するアンテナを含み得る。必要に応じて、アンテナ３０のうちの１つ以上がキャビティバックアンテナであり得る。異なるタイプのアンテナが異なる帯域及び帯域の組合せに使用され得る。例えば、１つのタイプのアンテナがローカル無線リンクアンテナを形成する際に使用され、他のタイプのアンテナがリモート無線リンクアンテナを形成する際に使用され得る。専用のアンテナが衛星航法システム信号を受信するために使用され得、又は、必要に応じて、アンテナ３０は衛星航法システム信号及び他の通信帯域用の信号（例えば、無線ローカルエリアネットワーク信号及び／又はセルラー電話信号）の両方を受信するように構成され得る。アンテナ３０は、必要に応じて、ミリ波通信を扱う１つ以上のアンテナ又は位相アンテナアレイを含み得る。
【００３２】
送信ライン経路は、第１の装置１０内でアンテナ信号を送るために使用され得る。例えば、送信ライン経路は、アンテナ構造体３０を無線周波回路３４に繋げるために使用され得る。第１の装置１０における送信ラインは、同軸ケーブル経路、マイクロストリップ送信ライン、ストリップライン送信ライン、エッジ結合マイクロストリップ送信ライン、エッジ結合ストリップライン送信ライン、これらのタイプの送信ラインの組合せから形成された送信ライン等を含み得る。フィルタ回路、スイッチング回路、増幅器回路、インピーダンスマッチング回路、及び、他の回路が必要に応じて送信ライン内に介在し得る。
【００３３】
同様にして、第２の装置１２は記憶及び処理回路２０と、入出力回路２２とを含み得る。記憶及び処理回路２０並びに入出力回路２２は、筐体２４等の電子装置の筐体構造体内に封入され得る。筐体２４は、プラスチック、ガラス、セラミック、繊維複合体、金属（例えば、ステンレス鋼、アルミニウム等）、他の好適な材料、又は、これら材料のうちの任意の２つ以上の組合せから形成され得る。筐体２４は、筐体２４の一部又は全部が単一の構造として機械加工又は成形される単一ボディ構成を使用して形成され得、或いは、多数の構造体（例えば、内部フレーム構造体、外部筐体表面を形成する１つ以上の構造体等）を使用して形成され得る。
【００３４】
第２の装置１２の入出力回路２２は、入出力装置４２を含み得る。入出力装置４２は、第２の装置１２へのデータの供給及び第２の装置１２から他の装置へのデータの供給を可能にするために使用され得る。入出力装置４２は、ユーザインターフェース装置、データポート装置、及び、他の入出力構成要素を含み得る。例えば、入出力装置は、タッチスクリーン、タッチセンサ機能を有さないディスプレイ、ボタン、ジョイスティック、スクロールホイール、タッチパッド、キーパッド、キーボード、マイクロフォン、カメラ、スピーカ、状態インジケータ、光源、オーディオジャック及び他の音声ポート構成要素、デジタルデータポート装置、光センサ、加速度計又は地球に対する動き及び装置の向きを検出することができる他の構成要素、静電容量センサ、近接センサ（例えば、静電容量近接センサ及び／又は赤外線近接センサ）、磁気センサ、コネクタポートセンサ又は装置１２がドックに搭載されているかを判定する他のセンサ、並びに、他のセンサ及び入出力構成要素を含み得る。
【００３５】
入出力回路２２は無線通信回路４４を含み得る。無線通信回路４４は、１つ以上の集積回路から形成された無線周波（ＲＦ）送受信機回路、電力増幅器回路、低ノイズ入力増幅器、パッシブＲＦコンポーネント、アンテナ４６等の１つ以上のアンテナ、送信ライン、及び、ＲＦ無線信号を扱う他の回路を含み得る。無線信号はまた、光を使用して（例えば、赤外線通信を使用して）送られ得る。
【００３６】
無線通信回路４４は、ベースバンド周波数で送信された及び／又は受信された信号を扱うベースバンドプロセッサ回路４８を含み得る。ベースバンドプロセッサ回路４８は、経路５２によりベースバンド信号を無線周波回路５０に供給し得、及び／又は、経路５２によりベースバンド信号を無線周波回路５０から受信し得る。無線周波回路５０は、無線周波モジュール５４（例えば、第１のモジュール５４−１、Ｎ番目のモジュール５４−Ｎ等）を含み得る。各無線周波モジュール５４は、対応する通信帯域において無線周波信号を扱い得る。各無線周波モジュール５４は、対応する送受信機回路、フィルタ処理回路、送信ライン構造体、増幅器回路、データ変換回路、マッチング回路、制御ロジック、又は、対応する周波数帯域において無線周波信号を扱う任意の他の所望の回路を含み得る。各モジュール５４は、対応する集積回路（チップ）上に形成され得る。必要に応じて、モジュール５４のうちの２つ以上が共通の基板上に又は共通の集積回路チップ上に形成され得る。モジュール５４のうちの２つ以上は、例えば、ベースバンドプロセッサ４８と共通の基板又は集積回路上に形成され得、或いは、ベースバンドプロセッサ４８とは別個の基板又は集積回路上に形成され得る。
【００３７】
必要に応じて、無線周波回路５０は、フィルタ処理回路、混合回路、増幅器回路、送信ライン構造体、マッチング回路、データ変換回路（例えば、アナログ／デジタル変換器回路又はデジタル／アナログ変換器回路）、スイッチング回路、及び／又は、モジュール５４上に形成された回路とは別個の無線周波信号を扱う任意の他の所望の回路を含み得る。
【００３８】
無線周波回路５０は、様々な無線周波通信帯域において無線周波通信を扱い得る。無線周波回路５０は、ＷｉＦｉ（登録商標）（ＩＥＥＥ  ８０２．１１）通信用の２．４ＧＨｚ及び５ＧＨｚ帯域を扱い２．４ＧＨｚのＢｌｕｅｔｏｏｔｈ（登録商標）通信帯域を扱う無線ローカルエリアネットワーク送受信機回路を含み得る。回路５０は、７００〜９６０ＭＨｚの低通信帯域、１７１０〜２１７０ＭＨｚの中帯域、及び２３００〜２７００ＭＨｚの高帯域、又は７００ＭＨｚ〜２７００ＭＨｚの間の若しくは他の好適な周波数の他の通信帯域（例として）等の周波数範囲における無線通信を扱うセルラー電話送受信機回路を含み得る。回路５０は、音声データや非音声データを扱い得る。
【００３９】
無線周波回路５０は、極高周波数（例えば、１０ＧＨｚ〜４００ＧＨｚのミリ波周波数又は他のミリ波周波数）において通信をサポートするミリ波送受信機回路を含み得る。回路５０は、１５７５ＭＨｚにおいてＧＰＳ信号を受信する又は他の衛星位置データ（例えば、１６０９ＭＨｚにおいてＧＬＯＮＡＳＳ信号）を扱う全地球測位システム（ＧＰＳ）受信機回路等の衛星航法システム回路を含み得る。装置１２用の衛星航法システム信号は、地球を周回する衛星の群から受信される。
【００４０】
無線周波通信回路５０は、必要に応じて、他の短距離及び長距離無線リンク用の回路を含み得る。例えば、無線通信回路５０は、テレビ及びラジオ信号を受信する回路、ページングシステム送受信機、近距離通信（ＮＦＣ）回路等を含み得る。
【００４１】
無線通信回路４４におけるアンテナ４６は、任意の好適なアンテナタイプを使用して形成され得る。例えば、アンテナ４６は、ループアンテナ構造体、パッチアンテナ構造体、逆Ｆアンテナ構造体、スロットアンテナ構造体、平面逆Ｆアンテナ構造体、螺旋アンテナ構造体、これらの設計のハイブリッド等から形成されている共振要素を有するアンテナを含み得る。必要に応じて、アンテナ４６のうちの１つ以上がキャビティバックアンテナであり得る。異なるタイプのアンテナが異なる帯域及び帯域の組合せに使用され得る。例えば、１つのタイプのアンテナがローカル無線リンクアンテナを形成する際に使用され、他のタイプのアンテナがリモート無線リンクアンテナを形成する際に使用され得る。専用のアンテナが衛星航法システム信号を受信するために使用され得、又は、必要に応じて、アンテナ４６は衛星航法システム信号及び他の通信帯域用の信号（例えば、無線ローカルエリアネットワーク信号及び／又はセルラー電話信号）の両方を受信するように構成され得る。アンテナ４６は、必要に応じて、ミリ波通信を扱うための１つ以上のアンテナ又は位相アンテナアレイを含み得る。
【００４２】
送信ライン経路は、装置１２内でアンテナ信号を送るために使用され得る。例えば、送信ライン経路は、アンテナ構造体４６を無線周波回路５０に繋ぐために使用され得る。装置１２における送信ラインは、同軸ケーブル経路、マイクロストリップ送信ライン、ストリップライン送信ライン、エッジ結合マイクロストリップ送信ライン、エッジ結合ストリップライン送信ライン、これらのタイプの送信ラインの組合せから形成された送信ライン等を含み得る。フィルタ回路、スイッチング回路、増幅器回路、インピーダンスマッチング回路、及び、他の回路が必要に応じて送信ライン内に介在し得る。
【００４３】
第１の装置１０の記憶及び処理回路１６並びに第２の装置１２の記憶及び処理回路２０は、データ転送プロトコル（データバスプロトコルと本明細書においてしばしば称される）を実施する際に使用され得る。データ転送プロトコルは、高データレートデータ転送動作（例えば、毎秒１００メガビット（Ｍｂｐｓ）以上、５００Ｍｂｐｓ以上、毎秒１ビット以上等の速度でのデータ転送動作）を実施するために使用され得る。処理回路１６及び２０によって実施され得るデータ転送プロトコルは、ユニバーサルシリアルバス（ＵＳＢ）プロトコル、ユニバーサル非同期送受信機（ＵＡＲＴ）プロトコル、周辺構成要素相互接続（ＰＣＩ）プロトコル、周辺構成要素相互接続エクスプレス（ＰＣＩｅ）プロトコル、アクセラレーテッドグラフィクスポート（ＡＧＰ）プロトコル、又は、約１００Ｍｂｐｓ以上のデータ速度（すなわち、データレート）が可能な任意の他の所望のデータ転送プロトコルを含み得る。一般的に、データ転送プロトコルは、データ転送動作をサポートするために少なくとも２つの同時データ経路が維持されること（例えば、第１の装置から第２の装置へデータを送信するための第１の経路、及び、第２の装置から第１の装置へデータを同時に送信する第２の経路）を必要とし得る。
【００４４】
第１の装置１０の処理回路１６は、選択されたデータ転送プロトコルを使用して送信用のデータをフォーマット化し得る。あるシナリオでは、入出力装置２６は、高データレート転送プロトコルをサポートするＵＳＢポート等の有線データポート構造体を含む。これらのシナリオでは、データは、有線データポート及び対応するケーブル構造体により第２の装置１２等の外部装置に送信され得る。有線データポート及びケーブル構造体は、データ転送プトロコルと関連付けられた高データレートでデータ送信をサポートし得る。しかしながら、データ転送プロトコルを実施するために必要とされるケーブルや有線データポートは、嵩張り、装置内で過剰なスペースを占有し得る。必要に応じて、装置内のスペースは、データを外部装置１２に無線で送信するために無線通信回路２８を使用することによって保存され得る。
【００４５】
一般的に、無線通信回路２８のデータ送信帯域幅及びデータレート（例えば、回路２８によって送信され得る１秒あたりのデータビット数）は、データを伝達するために使用される周波数に正比例する。例えば、より高い周波数帯域で送信されたデータは、より低い周波数で伝達されたデータよりも高いデータレートで伝達され得る。無線周波回路３４はセルラー電話機周波数又は無線ローカルエリアネットワーク周波数等の比較的低い周波数でデータを伝達し得るが、これらの周波数は無線データを送信する際に得られ得るデータレートに上限を課す。例えば、これらの周波数でのデータの転送は、データレートを５００Ｍｂｐｓ未満に制限し得る。このようにしてデータレートを制限することは、結果として、高精細映像又は他の大きい組のデータ等の大きいデータファイルが外部装置に転送される待機時間を比較的長くし得る。
【００４６】
必要に応じて、第１の装置１０におけるミリ波ＲＦモジュール４０は、高データレート（例えば、５００Ｍｂｐｓ以上、毎秒１ビット以上、毎秒５ギガビット（Ｇｂｐｓ）、毎秒５ギガバイト（ＧＢｐｓ）等）のレート）でデータを外部機器に送信するために使用され得る。装置１０のミリ波回路を使用するデータ転送動作は、無線ローカルエリアネットワーク又はセルラー電話機周波数等のより低い周波数が使用されるときよりも著しく高いデータレートを得られ得る（例えば、なぜなら、ミリ波通信が、無線ローカルエリアネットワーク周波数又はセルラー電話周波数よりも著しく大きい、１０ＧＨｚより大きい極高周波数（ＥＨＦ）で実施されるため）。このようにして、装置１０は、より低い周波数が使用されるシナリオよりも短い又は更には気付かれない程度の時間で比較的大きいデータファイルを転送するためにＥＨＦ信号を使用し得る。
【００４７】
毎秒１ビット以上のデータレートを扱うことができるデータ転送プロトコルを実施するために、少なくとも２つのＥＨＦ無線経路が第１の装置１０と第２の装置１２との間に確立され同時に維持され得る。図１に示されているように、第１の装置１０及び第２の装置１２は、装置間に第１の無線経路６０及び第２の無線経路６２を確立し得る。第１の無線経路６０及び第２の無線経路６２は、ミリ波通信を扱うことができる第１の装置１０のＲＦモジュール４０及び第２の装置１２のＲＦモジュール５４を使用して確立され得る。第１の無線経路６０及び第２の無線経路６２は、無線リンクと本明細書においてしばしば称されることもある。第１の無線リンク６０及び第２の無線リンク６２は、対応するデータ転送プロトコルを実施し、且つ例えば、毎秒１ビット以上のレート又は５００Ｍｂｐｓ以上のレートでデータ転送を扱う、装置１０と装置１２との間の無線データ転送リンクをまとめて形成し得る。
【００４８】
このような高データレートを扱うためには、無線リンク６０及び６２は、１０ＧＨｚ以上のＥＨＦ周波数にあり得る。例えば、ＥＨＦリンク６０及び６２は、５８．５ＧＨｚ、６０ＧＨｚ、６２．５ＧＨｚにおける周波数帯域、５８．５〜６０ＧＨｚの間の周波数帯域、６０ＧＨｚ〜６２．５ＧＨｚの間の周波数帯域、６２．５ＧＨｚより大きい周波数帯域、１０ＧＨｚ〜５８．５ＧＨｚの間の周波数帯域等に確立され得る。ＥＨＦリンク６０及び６２は両方とも、同じ周波数帯域により信号を伝達し得、又は、異なる周波数帯域において信号を伝達し得る。対応するデータ転送プロトコルを実施する際、無線リンク６０は、第１の装置１０から第２の装置１２の方向にデータを伝達するために使用され得、リンク６２は第２の装置１２から第１の装置１０の方向にデータを伝達するために使用される。必要に応じて、３つ以上の無線リンクが装置間で同時に確立され得る。データは、５００Ｍｂｐｓ以上（例えば、１Ｇｂｐｓ、１ＧＢｐｓ、５Ｇｂｐｓ、１０Ｇｂｐｓ、１０Ｇｂｐｓ超、５ＧＢｐｓ、５ＧＢｐｓ超等）の比較的高いデータレートで第１の装置１０と第２の装置１２との間で伝達され得る。あるシナリオでは、データレートは、毎秒１ビット以上（例えば、毎秒１ビット〜１００Ｍｂｐｓの間、１００Ｍｂｐｓ〜１Ｇｂｐｓの間等）のレートにあり得る。
【００４９】
装置１０における異なる各ＲＦモジュール４０が、リンク６０及び６２それぞれを扱うために使用され得る。例えば、第１のＲＦモジュール４０−１がリンク６０による無線送信を扱い得、Ｎ番目のＲＦモジュール４０−Ｎがリンク６２による無線受信を扱う。同様にして、装置１２における異なる各ＲＦモジュール５４が、リンク６０及び６２それぞれを扱うために使用され得る。例えば、ＲＦモジュール５４−１がリンク６０による無線受信を扱い得、ＲＦモジュール５４−Ｎがリンク６２による無線送信を扱う。このようにして、ＲＦモジュール４０−１によって送信されたＥＨＦ信号はＲＦモジュール５４−１によって受信され、モジュール５４−Ｎによって送信されたＥＨＦ信号はＲＦモジュール４０−Ｎによって受信され得る。
【００５０】
必要に応じて、同じ周波数がＥＨＦリンク６０及び６２の両方に使用され得る。このシナリオでは、ＲＦモジュール４０−１は第１のアンテナ３０によりリンク６０用の信号を送信し得、ＲＦモジュール４０−Ｎは第２のアンテナ３０によりリンク６２からの信号を受信し得る。同様にして、ＲＦモジュール５４−１は第１のアンテナ５４−１によりリンク６０用の信号を受信し得、ＲＦモジュール５４−Ｎは第２のアンテナ４６によりリンク６２用の信号を送信し得る。必要に応じて、異なる周波数がリンク６０及び６２に使用され得る。このシナリオでは、モジュール４０−１及び４０−Ｎは同じアンテナ３０を使用して信号を送信及び受信し得る（例えば、リンク６０及び６２用の信号は同じアンテナ３０を使用して扱われ得る）。同様にして、ＲＦモジュール５４−１及びＲＦモジュール５４−Ｎは同じアンテナ４６を使用して信号を送信及び受信し得る。
【００５１】
図２は、アンテナ３０が第１の装置１０内にいかにして形成され得るかを示す例示的な図である。図２の実施例では、装置１０は、ディスプレイ７０等のディスプレイを含む。ディスプレイ７０は筐体１４に搭載され得る。ディスプレイ７０は、導電性静電容量タッチセンサ電極又は他のタッチセンサ構成要素（例えば、抵抗性タッチセンサ構成要素、音響タッチセンサ構成要素、力ベースのタッチセンサ構成要素、光ベースのタッチセンサ構成要素等）の層を組み込むタッチスクリーンディスプレイであり得、又は、タッチ感知式でないディスプレイであり得る。静電容量タッチスクリーン電極は、インジウムスズ酸化物パッド又は他の透過性の導電性構造体のアレイから形成され得る。
【００５２】
ディスプレイ７０は、液晶ディスプレイ（ＬＣＤ）構成要素から形成された表示ピクセルのアレイ、電気泳動表示ピクセルのアレイ、プラズマ表示ピクセルのアレイ、有機発光ダイオード表示ピクセルのアレイ、電気湿潤表示ピクセルのアレイ、又は、他の表示技術に基づく表示ピクセルを含み得る。
【００５３】
ディスプレイ７０は、透明ガラス、透明なプラスチック、サファイア、又は、他の透明誘電体の層等のディスプレイカバー層を使用して保護され得る。開口部がディスプレイカバー層に形成され得る。例えば、開口部は、ボタン７４等のボタンを収容するためにディスプレイカバー層に形成され得る。開口部は、スピーカーポート等のポートを収容するためにディスプレイカバー層に形成され得る。開口部は、通信ポート（例えば、オーディオジャックポート、デジタルデータポート等）を形成するために筐体１４に形成され得る。アンテナ３０がＥＨＦ帯域により外部装置に高データレートでデータを伝達するために使用されるシナリオでは、ＵＳＢポート等のデジタルデータポート及び筐体１４の対応する開口部は省略され得る（例えば、それにより、装置１０のフォームファクタを向上させ及び／又は他の構成要素を形成する際に使用される装置１０内での追加のスペースを可能にする）。
【００５４】
アンテナ３０は筐体１４に搭載され得る。例えば、筐体１４は図２に示されているように４つの周辺エッジを有し得、１つ以上のアンテナはこれらエッジのうちの１つ以上に沿って位置し得る。図２の例示的な構成に示されているように、必要に応じて、アンテナ３０は筐体１２の対向する周辺エッジに沿って領域７６及び７８に搭載され得る（例として）。必要に応じて、筐体１４の金属部分は装置１０においてアンテナの部分を形成し得る。例えば、筐体１４の外部導電性面は、アンテナ４０用の共振要素及び／又は接地板の部分を形成し得る。１つの好適な配置では、筐体１４は、導電性背面と、背面からディスプレイ７０の誘電体カバーに延在する導電性側壁とを含む。アンテナ３０は、必要に応じて、装置１０の他の部分にも搭載され得る。図２の構成は例示的にすぎない。
【００５５】
必要に応じて、装置１０におけるアンテナ３０のうちの１つ以上は、ＥＨＦ周波数未満の周波数でＥＨＦデータ信号及び無線周波信号の両方（例えば、無線ローカルエリアネットワーク信号、セルラー電話信号、ＮＦＣ信号、衛星航法信号等）を伝達するために使用され得る。他の好適な配置では、第１の組のアンテナ３０はＥＨＦ周波数で信号を伝達するために使用され得、第２の組のアンテナ３０はＥＨＦ周波数未満の周波数で信号を伝達するために使用される。例えば、ＥＨＦ周波数未満の周波数で信号を伝達するために使用されるアンテナは領域７８及び７６に形成され得、筐体１４の金属部分（例えば、外部面）から形成された共振要素を有し得る。換言すれば、装置１０の周囲を囲う筐体１４の金属部分は、装置１０用の非ＥＨＦアンテナを形成し得る。この実施例では、１つ以上の別個のアンテナがＥＨＦ信号を伝達するために使用され得る。ＥＨＦ信号を伝達するアンテナは、筐体１４の金属背面に隣接して搭載され得る。筐体１４の金属背面は、１つ以上の誘電体アンテナ窓を含み得る。ＥＨＦ信号を伝達するアンテナは、（例えば、金属筐体が信号をブロックしないように）誘電体アンテナ窓を介して無線ＥＨＦ信号を伝達し得る。この実施例は例示的にすぎない。図２に示された配置は、必要に応じて、第２の電子装置１２を実装するためにも使用され得る。
【００５６】
図３は、リンク６０及び／又は６２によりＥＨＦ信号を扱うために使用され得る例示的な図である。図３の無線周波モジュールは、例えば、図１の第１の装置１０の無線周波モジュール４０のうちの１つ又は第２の装置１２の無線周波モジュール５４のうちの１つを実装するために使用され得る。ＲＦモジュール８０（例えば、装置１０のモジュール４０−１又は４０−Ｎ、或いは、装置１２のモジュール５４−１又は５４−Ｎ等のＲＦモジュール）は、ＥＨＦ帯域において通信を扱い得る。必要に応じて、モジュール８０の構成要素は共通の基板上に又は共通の集積回路上に形成され得る。
【００５７】
図３の実施例に示されているように、ベースバンド回路３２は、ＲＦモジュール８０の部分として形成され得る（例えば、ベースバンド回路７５は図１のベースバンド回路３２の一部又は全部を含み得る）。他の好適な配置では、ベースバンド回路３２は、モジュール８０とは別個に形成され得る。モジュール８０は、ベースバンド回路７５の入力に繋がった入出力（Ｉ／Ｏ）回路７７及びベースバンド回路７５の出力に繋がった無線周波回路７１を含み得る。Ｉ／Ｏ回路７７は、データ経路８１との入出力インターフェイスとしての役割を果たし得る。Ｉ／Ｏ回路７７は、データ経路８１により（例えば、処理回路１６から）送信用のデータを受信し得る。
【００５８】
ベースバンド回路７５は、Ｉ／Ｏ回路７７を介してデータを受信し得、ベースバンド動作を受信されたデータに実施し得る。無線周波回路７１は、無線周波アップコンバートをデータに実施して、ベースバンド信号をＥＨＦ信号に変換し得る。無線周波回路７１は、出力経路９０に繋がれ得る。出力経路９０は、アンテナ３０への又は装置における他のアンテナへの送信ライン経路であり得る。ＥＨＦ信号は、出力経路９０に伝達され得る。同様にして、ＥＨＦ信号は経路９０により受信され得る。ＥＨＦ信号は、回路７１によってベースバンド信号にダウンコンバートされ得る。ベースバンド回路７５は、ベースバンド動作を受信されたベースバンド信号に実施し得、Ｉ／Ｏ経路７７により経路８１にベースバンド信号を伝達し得る。無線周波回路７１は、任意の所望のフィルタ処理回路、スイッチング回路、マッチング回路、変換回路、混合回路、又は、増幅回路を含み得る。
【００５９】
ＲＦモジュール８０は、制御及びデバッグ回路７９を含み得る。回路７９は、モジュール内制御経路（図示せず）を介して制御信号を回路７７、７５、及び７１に供給し得る。回路７９は、チップ間制御経路１１０を介して制御信号を他の回路から受信し得る。回路７９は、制御経路１１０を介して制御信号を他の無線周波モジュール等の他の回路に供給し得る。回路７９は、モジュール８０の動作を制御し得、装置１０及び／又は装置１２の他の無線周波モジュールの動作を制御し得、テスト及びリンク品質評価動作をＥＨＦリンク６０及び６２に実施し得る。
【００６０】
図３のモジュール８０は、送信（電力）増幅器及び低ノイズ増幅器（ＬＮＡ）等の増幅器回路を含み得る。増幅器回路は、無線周波部分７１に形成され得、送信ライン９０に介在し得、モジュール８０の外部に形成され送信ライン９０等に介在し得る。送信用のデータを伝達する場合、電力増幅器回路は入力経路８１により送信用の信号を受信し得る。増幅器は、受信された送信信号まで増幅し得（例えば、１より大きい利得を供給し）、増幅された信号を送信ライン９０に供給し得る。出力経路９０は、無線周波回路３４における他のフィルタ処理回路、増幅器回路、及び／又は、送信ライン構造体を介してアンテナ３０に送信信号を伝達し得る（図１）。増幅器によって供給された利得は、増幅器制御信号を使用して調節され得る。増幅器制御信号は、利得調節制御信号、増幅器バイアスを調節するための信号、所望の数の増幅器利得段をアクティブにするための信号、又は、増幅器によって供給された利得を調節するための任意の他の所望の制御信号を含み得る。制御信号は、制御回路７９によって、記憶及び処理回路１６（図１）によって、又は、第１の装置１０の他の電力制御回路によって供給され得る。増幅器は、所望の送信電力レベルで出力経路９０上の送信信号を供給するために制御信号を使用して調節され得る。増幅器は、リアルタイムで出力経路９０におけるＥＨＦ信号の送信電力レベルを増加又は減少させるために制御信号を使用して調節され得る。
【００６１】
必要に応じて、無線周波回路７１は無線周波信号を経路９０から受信し得る。受信された信号は、低ノイズ増幅器の入力に送られ得る。低ノイズ増幅器は、受信された信号を増幅し得、増幅された信号を回路７５に出力し得る。制御回路７９は、制御ロジックと本明細書においてしばしば称されることもある。制御回路７９は、制御経路１１０により受信された制御信号（例えば、経路１１０を介して装置の記憶及び処理回路１６から受信された制御信号）を使用して構成され得る。制御回路７９は、経路１１０により制御信号を他の無線周波モジュール４０に供給して、これらの無線周波モジュールの動作を制御し得る。経路８１、９０、及び／又は１１０は、必要に応じて、無線周波送信ライン構造体、及び／又は導電性ピン、コンタクトパッド、若しくはビア等の導電性接点を含み得る。制御経路１１０は、例えば、チップ間通信（ＩＣＣ）プロトコルに従ってまとめられたデータを伝達し得る。
【００６２】
必要に応じて、制御回路７９は、デバッグ回路を含み得る。デバッグ回路は、デバッグ又はテスト動作を装置１０、装置１２、並びに／又はＥＨＦ無線リンク６０及び６２に実施するために使用され得る。例えば、デバッグ回路は、疑似ランダムビットシーケンス等のテストビットのシーケンス（例えば、一連の疑似ランダムデータビット）を生成し得る。回路７９は、無線周波回路７１を介して経路９０にテストビットを注入し得る。テストビットは、（モジュール８０が第１の装置１０に形成されているシナリオでは）経路９０により送信され、外部装置１２で受信され得る。外部装置１２は、受信されたテストビットを処理して、必要に応じて、無線リンク６０及び６２の品質をテストし得る。
【００６３】
注意が払われない場合、ＥＨＦ無線リンク６０により送信されたデータはＥＨＦ無線リンク６２により送信されたデータと干渉し得、及び／又はリンク６２によるデータはリンク６０により送信されたデータと干渉し得る。リンク６０及び６２が同じＥＨＦ周波数帯域にあるシナリオでは（例えば、異なる各アンテナ３０が、リンクごとに信号を伝達するために使用される場合）、シールド１２０等の無線周波遮断構造体は、データリンク間の干渉を緩和するためにモジュール８０の１つ以上の辺の周りに形成され得る。シールド１２０は、金属シート等の導電性構造体又は無線周波信号をブロックするための他の構造体を含み得る。シールド１２０は、ＲＦモジュール４０−１及び４０−Ｎ間に介在し得る。必要に応じて、シールド１２０はモジュール８０の１つ、２つ又は３つの辺の周りで延在し得る。必要に応じて、吸収体１２２等の無線周波吸収体構造体がモジュール８０の１つ以上の辺の周りに形成され得る。吸収体１２２は、誘電体、又は無線周波信号を吸収するための他の材料を含み得る。吸収体１２２は、ＲＦモジュール４０−１及び４０−Ｎ間に介在し得る。必要に応じて、吸収体１２２はモジュール８０の１つ、２つ、３つ又は４つの辺の周りで延在し得る。モジュール８０には、吸収体１２２、シールド１２０、シールド１２０及び吸収体１２２が設けられ得、又は、シールド１２０及び吸収体１２２は省略され得る。シールド１２０及び吸収体１２２は、モジュール４０−１及び４０−Ｎ間の干渉を減少させる役割を果たし得る。これは、モジュール４０−１及び４０−Ｎが、シールド又は吸収体が使用されないシナリオよりも近くに一緒に装置１０に配置されることを可能にし得る。
【００６４】
第１の装置１０の無線周波回路３４及び第２の装置１２の無線周波回路５０は、所望の送信電力レベルでＥＨＦ信号を送信し得る。送信電力レベルは、各装置のモジュール８０内の及び／又は各装置のモジュール８０の外部にある増幅器によって供給された利得によって決定され得る。一般的に、より高い送信電力レベルは、結果として、より低い送信電力レベルよりも高い無線リンク品質を得られ得る。しかしながら、より高い送信電力レベルは、より低い送信電力レベルが使用される場合よりも、多くの電力を使用し装置のバッテリを速く消耗し得る。
【００６５】
必要に応じて、装置１０及び／又は装置１２は、リアルタイムでリンク６０及び６２用の送信電力レベル調節を能動的に実施し得る。リアルタイムで送信電力を調節することにより（例えば、リンク６０及び６２が既に確立されている間）、システム８は、装置内の電力消費を最適化しつつＥＨＦ無線リンクが十分なリンク品質を有することを確実にし得る。
【００６６】
図４は、リアルタイムでＥＨＦリンク６０及び６２の送信電力を調節するために通信システム８によって実施され得る例示的なステップを示すフロー図である。
【００６７】
ステップ１３０では、装置１０及び１２は装置１０と装置１２との間にＥＨＦ無線データ転送リンク６０及び６２を確立し得る（図１）。例えば、装置１０のＲＦモジュール４０−１は、ＥＨＦ周波数帯域において装置１２のＲＦモジュール５４−１との無線リンク６０を確立し得、装置１０のＲＦモジュール４０−ＮはＥＨＦ周波数帯域において装置１２のＲＦモジュール５４−Ｎとの無線リンク６２を確立する。リンクが確立されると、ＲＦモジュール４０−１はＲＦモジュール５４−１にリンク６０によりデータを送信し得、ＲＦモジュール５４−ＮはＲＦモジュール４０−Ｎにリンク６２によりデータを送信し得る。確立されたリンク６０及び６２は、ＰＣＩｅ、ＵＳＢ、これらの修正版、又は任意の他の所望のデータ転送プロトコル等の高速データ転送プロトコルをまとめて実施し得る。ＲＦモジュール５４−Ｎは、第１の所定の送信電力レベルでリンク６２によりデータを送信し得、モジュール４０−１は第２の所定の送信電力レベルでリンク６０によりデータを送信し得る。
【００６８】
装置１０及び１２は、必要に応じて、無線ハンドシェイク手順を使用してリンク６０及び６２を確立し得る。例えば、第２の装置１２のＲＦモジュール５４−Ｎは、装置トークン等の所定の一連のデータビットを生成し得、装置トークンを第１の装置１０のＲＦモジュール４０−Ｎに（例えば、ＥＨＦ周波数帯域により）送信し得る。ＲＦモジュール４０−Ｎの制御回路（例えば、図３の回路７９）は、受信された装置トークンを得、第２の装置１２が第１の装置１０とのＥＨＦ無線リンクの確立を試みていると識別し得る。ＲＦモジュール４０−Ｎの制御回路７９は、第１の装置１０の制御経路１１０により制御信号をＲＦモジュール４０−１に供給し得る。制御信号は、ＲＦモジュール４０−１に応答メッセージを生成するよう指示し得る。ＲＦモジュール４０−１は、応答メッセージをＲＦモジュール５４−１に（例えば、ＥＨＦ周波数帯域により）送信し得る。ＲＦモジュール５４−１は、受信された応答メッセージを識別し得、第１の装置１０の通信準備ができたと識別し得る。ＲＦモジュール５４−１は、応答が第１の装置１０から受信されたことをＲＦモジュール５４−Ｎに通知するために、第２の装置１２の制御経路１１０により制御信号をＲＦモジュール５４−Ｎに送り得る。ＲＦモジュール５４−Ｎが、応答が受信されたと識別すると、リンク６０及び６２は成功裏に確立され得、データは正常に（例えば、５００Ｍｂｐｓより大きい高データレートで、毎秒１ビットより大きいデータレートで等）リンク６０及び６２により伝達され得る。
【００６９】
ステップ１３２では、第１の装置１０及び／又は第２の装置１２は、確立されたＥＨＦリンク６０及び６２の品質を評価し得る。例えば、ＲＦモジュール４０−Ｎは、ＥＨＦリンク６２によりデータをＲＦモジュール５４−Ｎから受信し得る。モジュール４０−Ｎは、ベースバンドプロセッサ回路３２（又は、図３の実施例におけるベースバンド回路７５）に受信されたデータを送り得る。ベースバンド３２における並びに／又は第１の装置１０の記憶及び処理回路１６におけるデータ処理回路は、受信されたデータを処理して、ＥＨＦリンク６２の品質を評価／分析し得る。同様にして、ＲＦモジュール５４−１は、ＥＨＦリンク６０によりデータをＲＦモジュール４０−１から受信し得る。モジュール５４−１は、受信されたデータをベースバンドプロセッサ回路４８に送り得る。ベースバンド４８における並びに／又は第２の装置１２の記憶及び処理回路２０におけるデータ処理回路は、受信されたデータを処理して、ＥＨＦリンク６２の品質を評価／分析し得る。
【００７０】
ＥＨＦリンク６２の品質は、任意の所望の無線性能指標を使用して評価され得る。第１の装置１０及び／又は第２の装置１２は、受信されたデータから無線性能指標データを集め得、性能指標データを使用してＥＨＦリンク６０及び６２の品質を特徴付け得る。ＥＨＦ無線リンク品質を評価するために第１の装置１０及び／又は第２の装置１２によって集められた性能指標データは、例えば、受信された電力、受信機感度、フレーム誤りレート、ビット誤りレート、受信された信号強度インジケータ（ＲＳＳＩ）情報に基づくチャネル品質測定値、隣接チャネル漏えい比（ＡＣＬＲ）情報（例えば、１つ以上のダウンリンク周波数チャネルにおけるＡＣＬＲ情報）、受信された信号コード電力（ＲＳＣＰ）情報に基づくチャネル品質測定値、基準シンボル受信電力（ＲＳＲＰ）に基づくチャネル品質測定値、信号対干渉比（ＳＩＮＲ）及び信号対ノイズ比（ＳＮＲ）情報に基づくチャネル品質の測定値、リンク６０及び６２間の干渉を測定する指標、Ｅｃ／Ｉｏ又はＥｃ／Ｎｏデータ等の信号品質データに基づくチャネル品質測定値、これら性能指標の任意の所望の組合せ、並びに、ＥＨＦリンク６０及び６２の品質を反映する他の情報を含み得る。
【００７１】
第１の装置１０及び／又は第２の装置１２は、生成された性能指標データを処理して、ＥＨＦリンク６０及び／又は６２の品質が十分であるかを判定し得る。例えば、第１の装置１０及び／又は第２の装置１２は、生成された性能指標データを対応する性能指標閾値又は許容値の範囲と比較し得る。生成された性能指標値が許容値の対応する範囲内である、又は許容値の上限を定める閾値未満である、又は許容値の下限を定める閾値を超える場合、装置１０及び１２は、ＥＨＦリンクが十分なリンク品質を有すると識別し得る。許容値の範囲及び対応する閾値は、システム８のオペレータ、無線キャリア、工業規格又は規制、装置１０及び／又は１２の製造、或いは任意の他の所望の手段によって決定され得る。第１及び第２の装置１０及び１２が、ＥＨＦリンク６０及び６２が十分なリンク品質を有すると識別した場合、装置１０及び１２は同じ送信電力レベルでデータを送信し続け得る。経路１３４によって図示されているように、装置１０及び１２は確立されたＥＨＦリンク６０及び６２の品質をリアルタイムで評価し続け得る。
【００７２】
第１の装置１０及び／又は第２の装置１２が、ＥＨＦリンク６０及び６２のうちの１つ又は両方が不十分なリンク品質を有すると判定した場合、処理は経路１３６によって図示されているようにステップ１３８に進み得る。ステップ１３８では、第１の装置１０及び／又は第２の装置１２の送信電力レベルが調節され得る（例えば、増加される又は減少される）。送信電力レベル調節は、チップ間制御経路１１０により制御信号を伝達することによって、各装置のＲＦモジュール間（例えば、装置１０のモジュール４０−１及び４０−Ｎ間、又は、装置１２のモジュール５４−１及び５４−Ｎ間）で実施され得る。必要に応じて、送信電力レベル調節は、ＥＨＦリンク６０及び６２により装置１０と装置１２との間で制御信号を伝達することによって実施され得る。
【００７３】
例えば、第２の装置１２のＲＦモジュール５４−１は、ＥＨＦリンク６０が不十分なリンク品質を有すると判定し得る（例えば、第２の装置１２の処理回路２０がリンク６０により受信されたデータのために集められた性能指標データが許容性能指標データ値の範囲外にあると判定し得る）。モジュール５４−１並びに／又は記憶及び処理回路２０は、ＲＦモジュール４０−１がＥＨＦリンク６０の送信電力レベルを調節する必要があると識別し得る。モジュール５４−１は、第２の装置１２のチップ間制御経路１１０により制御信号をＲＦモジュール５４−Ｎに送信し得る。制御信号は、ＲＦモジュール４０−１用の送信電力レベル変化を識別し得る。ＲＦモジュール５４−Ｎは、受信された制御信号をＲＦモジュール４０−Ｎに無線ＥＨＦ経路６２により送信し得る。ＲＦモジュール４０−Ｎは、制御信号をＲＦモジュール５４−Ｎから受信し得、第１の装置１０のチップ間制御経路１１０により制御信号をＲＦモジュール４０−１に伝達し得る。ＲＦモジュール４０−１は、受信された制御信号に基づいてＥＨＦリンク６０により送信された信号に供給される送信電力レベルを調節し得る。
【００７４】
他の実施例として、第１の装置１０のＲＦモジュール４０−Ｎは、ＥＨＦリンク６２が不十分なリンク品質を有すると判定し得る（例えば、装置１０の処理回路１６がリンク６２により受信されたデータのために集められた性能指標データが許容性能指標データ値の範囲外にあると判定し得る）。モジュール４０−Ｎ並びに／又は記憶及び処理回路１６は、第２の装置１２のＲＦモジュール５４−ＮがＥＨＦリンク６２の送信電力レベルを調節する必要があると識別し得る。モジュール４０−Ｎは、第１の装置１０のチップ間制御経路１１０により制御信号をＲＦモジュール４０−１に送信し得る。制御信号は、ＲＦモジュール５４−Ｎ用の送信電力レベル変化を識別し得る。ＲＦモジュール４０−１は、受信された制御信号をＲＦモジュール５４−１にＥＨＦ経路６０により送信し得る。ＲＦモジュール５４−１は、制御信号をＲＦモジュール４０−１から受信し得、第２の装置１２のチップ間制御経路１１０により制御信号をＲＦモジュール５４−Ｎに伝達し得る。ＲＦモジュール５４−Ｎは、受信された制御信号に基づいてＥＨＦリンク６２により送信された信号に供給される送信電力レベルを調節し得る。
【００７５】
ＥＨＦリンク６０及び６２用の送信電力レベルの調節は、リンク６０及び６２が十分なリンク品質を有することを確実し得る。必要に応じて、送信電力レベルの調節は、送信された信号に所望の量のジッターが供給されていることを確実にし得る。第１の装置１０及び第２の装置１２は、調節された送信電力レベルを使用して正常にデータを送信し続け得る。処理は、その後、経路１４０によって示されているようにステップ１３２にループバックされて、（例えば、リンク品質が時間とともにそれた場合に送信電力レベルが更新されることを確実にするために）リアルタイムでＥＨＦリンク６０及び６２の品質を評価し続け得る。このようにして、装置１０及び１２は、リンク６０及び６２の品質が時間とともに最適化されることを確実にするために、ＥＨＦリンク６０及び６２用のループフィードバック電力調節（例えば、ＥＨＦリンクの測定値から得られた能動的フィードバックに基づくＥＨＦリンクの調節）を実施し得る。
【００７６】
必要に応じて、ＲＦモジュール８０のデバッグ回路７９は、ＥＨＦリンク６０及び６２の品質を評価するためのテストデータを生成し得る。図５は、生成されたテストデータを使用してＥＨＦリンク６０及び６２の品質を評価するために第１の装置１０及び第２の装置１２によって実施され得る例示的なステップのフロー図である。図５のステップは、例えば、図４の処理ステップ１３２の間に実施され得る。
【００７７】
ステップ１５０では、装置１０及び１２のうちの１つが、対応するデバッグ回路７９を使用してテストビットシーケンスを生成し得る。例えば、第１の装置１０のＲＦモジュール４０−１のデバッグ回路７９がテストビットシーケンスを生成し得る。テストビットシーケンスは、データビットのストリームであり得る。デバッグ回路７９は、データビットの疑似ランダムシーケンス（例えば、バイナリ「１」及び「０」の疑似ランダムシーケンス）としてテストビットシーケンスを生成する疑似ランダム数生成器回路を含み得る。データビットの疑似ランダムシーケンスは、は、疑似ランダムビットシーケンス（ＰＲＢＳ）と本明細書においてしばしば称されこともある。
【００７８】
ステップ１５２では、制御回路７９は、生成されたテストビットシーケンスを対応する送信経路に注入し得る。例えば、ＲＦモジュール４０−１の回路７９は、生成されたテストビットシーケンスを送信経路９０に回路７１を介して注入し得る。ＲＦモジュール４０−１は、ＥＨＦリンク６０によりテストビットシーケンスを第２の装置１２に送信し得る。
【００７９】
ステップ１５４では、第２の装置１２のＲＦモジュール５４−１は送信されたテストビットシーケンスをＥＨＦリンク６０により受信し得る。例えば、モジュール５４−１は、リンク６０により受信された他のデータからテストビットシーケンスを抽出し得る。モジュール５４−１は、受信されたテストビットシーケンスをベースバンドプロセッサ４８に処理のために送り得る。
【００８０】
ステップ１５６では、ベースバンドプロセッサ４８並びに／又は記憶及び処理回路２０は、受信されたテストビットシーケンスを処理してＥＨＦリンク６０の品質を識別し得る。例えば、回路２０は、ＲＦモジュール５４−１から受信されたテストビットシーケンスを所定のシーケンスと比較して、ビット誤りレート又はＥＨＦリンク６０と関連付けられた他の性能指標情報を識別し得る。回路２０によって識別されるビット誤りレート値は、例えば、受信されたテストビットシーケンスにおける不正確に受信されたビットの数の測定値であり得る（例えば、より高いビット誤りレート値はより乏しいリンク品質を示し得、より低いビット誤りレート値はより高いリンク品質を示し得る）。この実施例は例示的にすぎず、一般的に、任意の所望の無線性能指標が使用され得る。同様の手順が、第２の装置１２から受信されたテストビットシーケンスを処理するために第１の装置１０で実施され得る。ＲＦモジュール４０及び５４を使用してテストデータビットを注入することによって、モジュール４０及び５４並びに対応するＥＨＦリンク６０及び６２は高価な外部テスト機器を用いることなく特徴付けられ得る。
【００８１】
リンク６０及び６２によりＥＨＦ信号を伝達するためのアンテナ３０は、金属筐体部分を有する筐体１４内に形成され得る。金属筐体部分は、好適なフォームファクタを装置１０に供給し得、及び／又は１つ以上のアンテナの部分を装置内に形成し得る。一般的に、筐体１４の金属部分等の導電体は無線周波信号をブロックし得る。開口部は、ＥＨＦ無線信号がアンテナ３０に伝達されアンテナ３０から伝達されることを可能にするために筐体１４の金属部分に形成され得る。必要に応じて、開口部は、誘電材料により充填されて、誘電体アンテナ窓を金属筐体に形成し得る。誘電体アンテナ窓は、汚れ、湿気、又は他のごみが筐体の内部に入ることを妨害しつつ、金属筐体内に又は金属筐体からＥＨＦ信号が伝達されることを可能にし得る。
【００８２】
図６は、金属筐体部分１４と、金属筐体部分１４に形成された少なくとも２つの誘電体アンテナ窓とを有する第１の装置１０の背面図である。図６に示されているように、第１の装置１０の背面１６２は、金属筐体部分１４（例えば、装置の幅及び長さにわたって延在する平面金属層又はシート）から形成され得る。背面１６２は、ディスプレイ７０から装置１０の反対側に形成され得る（図２）。少なくとも２つの誘電体アンテナ窓１６０が金属筐体１４の開口部に形成され得る。誘電体アンテナ窓１６０は、任意の所望の誘電材料（例えば、ポリマー、プラスチック、ガラス、セラッミック、サファイア、ゴム、これら材料の組合せ等）から形成され得る。
【００８３】
各アンテナ窓１６０は、対応するアンテナ３０の上に形成され得る。例えば、第１のアンテナ窓１６０はＥＨＦリンク６０と関連付けられた信号を伝達するために使用される所与のアンテナ３０の上に形成され得、第２のアンテナ窓１６０はＥＨＦリンク６２と関連付けられた信号を伝達するために使用される所与のアンテナ３０の上に形成され得る。換言すれば、ＲＦモジュール４０−１及びＲＦモジュール４０−Ｎは、筐体１４における２つの異なるアンテナ窓１６０を介して信号を送信又は受信し得る。２つの異なるアンテナ窓をリンクごとに使用することは、窓、したがって、対応するＲＦモジュールが装置１０において比較的離れて形成されることを可能にし得る。このような空間的分離は、リンク６０及び６２間の空間的隔離の増加、並びにリンク間の干渉の対応する減少を可能にし得る。
【００８４】
図６の実施例は例示的にすぎない。一般的に、窓１６０は、任意の所望の形状（例えば、円形、楕円形、長方形、多角形、ロゴ形等）を有し得る。各窓１６０は同じサイズであり得、又は異なるサイズであり得る。各窓１６０は同じ形状であり得、又は異なる形状であり得る。図６の実施例では、窓１６０は装置１０の底部に隣接して形成されている。一般的に、窓１６０は表面１６０上の任意の所望の場所に形成され得る。装置１２が金属筐体部分を含む場合、必要に応じて、同様の窓１６０が第２の装置１２に形成され得る。
【００８５】
必要に応じて、ＲＦモジュール４０−１及び４０−Ｎは、金属筐体１４における同じアンテナ窓を介してＥＨＦ信号を送信及び受信し得る。図７は、単一のアンテナ窓を介してＥＨＦリンク６０及び６２が伝達される実施例における装置１０の背面図を示す。図７に示されているように、単一のアンテナ窓１６４は金属筐体１４の背面１６２に形成され得る。アンテナ窓１６４は、任意の所望の誘電材料から形成され得る。ＲＦモジュール４０−１及びＲＦモジュール４０−Ｎ用のＥＨＦ信号を伝達するために使用される各アンテナ３０は、ＥＨＦリンク６０及び６２と関連付けられた信号を、窓１６４を介して送信及び／又は受信し得る。例えば、ＲＦモジュール４０−１から信号を送信する第１のアンテナ３０は窓１６４を介して信号を送信し得、関連付けられた信号をＲＦモジュール５４−Ｎから受信する第２のアンテナ３０はアンテナ窓１６４を介して信号を受信し得る。
【００８６】
図７の実施例は例示的にすぎない。一般的に、窓１６４は、任意の所望の形状（例えば、円形、楕円形、長方形、多角形、ロゴ形等）を有し得る。窓１６４は、任意の所望のサイズ（例えば、窓１６０は装置１０の幅全体にわたって、又は背面１６２の幅の一部分にわたって延在し得る）を有し得る。窓１６４は、装置１０の底部側に隣接して、又は背面１６２上の任意の他の所望の場所に（例えば、表面１６２の中心に、装置１０の上部側に隣接して等）形成され得る。装置１２が金属筐体部分を含む場合、必要に応じて、同様の窓１６４が第２の装置１２に形成され得る。
【００８７】
実際には、モジュール４０−１及び４０−Ｎの両方用のＥＨＦ信号を別個のアンテナ３０により且つ同じアンテナ窓１６４を介して伝達することは、ＥＨＦリンク６０及び６２間の過剰な干渉（例えば、単一のアンテナ窓が使用された場合のＲＦモジュール間の比較的短い空間的分離に起因して）を導入し得る。必要に応じて、モジュール４０−１及び４０−Ｎは、ＥＨＦリンク６０及び６２用の信号を同じアンテナ３０により送信及び受信し得る。このシナリオでは、リンク６０及び６２により通信するための単一のアンテナ３０だけが窓１６４の後ろに形成されている。
【００８８】
このシナリオにおけるＲＦモジュール間の空間的分離の欠如を補償するために、必要に応じて、装置１０及び１２はＥＨＦリンク６０及び６２を同時に維持するための時分割複信動作を実施し得る。時分割複信スキームでは、リンク６０用のＥＨＦ信号は、第１の装置１０及び第２の装置１２のスイッチング回路を使用して、リンク６２用のＥＨＦ信号と合わせて分散化され得る。例えば、ＥＨＦリンク６０用の信号は、第１の組の時間期間中に伝達され得、ＥＨＦリンク６２用の信号は第１の組の時間期間と分散化される第２の組の時間期間中に伝達され得る。時分割複信を実施することは、ＥＨＦリンク６０及び６２間の干渉を緩和する助けとなり得る（例えば、なぜなら、ＥＨＦリンク６０及び６２のうちの１つだけが所与の時間においてデータ送信に使用されているため）。しかしながら、時分割複信を実施することは、ＥＨＦリンクのデータレートを５００ＭＢｐｓ以下に望ましくなく制限し得る。
【００８９】
必要に応じて、装置１０及び１２は、単一のアンテナ３０が使用された場合にＥＨＦリンク６０及び６２を維持するための周波数分割複信動作を実施し得る。周波数分割複信スキームにおいて、リンク６０用のＥＨＦ信号は第１の周波数帯域において第１の装置１０によって送信され、リンク６２用のＥＨＦ信号は第１の周波数帯域と異なる第２の周波数帯域において第２の装置１２によって送信される。第１の装置１０の無線周波回路３４における及び第２の装置１２の無線周波回路５０におけるフィルタ処理回路は、単一のアンテナにより且つ単一のアンテナ窓１６４を介してＥＨＦリンク６０及び６２用の信号が同時に送信及び受信されることを可能にし得る。
【００９０】
図８は、装置１０及び１２が周波数分割複信動作をいかにして実施するかを示す例示的な図である。周波数分割複信動作は、単一のアンテナにより且つ各装置における単一の対応するアンテナ窓を介してＥＨＦ信号が同時に送信及び受信されることを可能にし得る。
【００９１】
図８に示されているように、第１の装置１０は誘電体アンテナ窓１６４を有する金属筐体１４を含み得る。ＥＨＦ通信を扱うための単一のアンテナ３０は、誘電体アンテナ窓１６４に隣接して筐体１４内に形成され得る。第２の装置１２は、誘電体アンテナ窓１７８を有する金属筐体２４を含み得る。ＥＨＦ通信を扱うための単一のアンテナ４６は、金属筐体２４内に誘電体アンテナ窓１７８に隣接して形成され得る。
【００９２】
第１の装置１０のＲＦモジュール４０−１は、経路１７２により第１のＥＨＦ帯域において信号を受信し得る。ＲＦモジュール４０−１は、送信ライン経路２００、デュプレクサ構造体１７０、送信ライン経路２０８、及び単一のアンテナ３０により第１のＥＨＦ帯域において信号を送信し得る。このようにして、ＲＦモジュール４０−１は、第１の装置１０用のミリ波送信機（ＴＸ）としての役割を果たし得る。モジュール４０−１によって送信された信号は、アンテナ３０から第２の装置１２のアンテナ４６にＥＨＦリンク６０により伝達され得る。
【００９３】
第２の装置１２のＲＦモジュール５４−１は、ＥＨＦリンク６０と関連付けられた送信された信号（例えば、第１のＥＨＦ帯域における信号）を単一のアンテナ４６、送信ライン構造体２１０、デュプレクサ構造体１７６、及び送信ライン構造体２０６を介して受信し得る。ＲＦモジュール５４−１は、受信された信号を経路１８０により伝達し得る。このようにして、ＲＦモジュール５４−１は、第２の装置１２用のミリ波受信機（ＲＸ）としての役割を果たし得る。
【００９４】
第２の装置１２のＲＦモジュール５４−Ｎは、経路１８２により第２のＥＨＦ帯域において信号を受信し得る。ＲＦモジュール５４−Ｎは、送信ライン経路２０４、デュプレクサ構造体１７６、送信ライン経路２１０、及びアンテナ４６により第２のＥＨＦ帯域において信号を送信し得る。このようにして、ＲＦモジュール５４−Ｎは、第２の装置１２用のミリ波送信機（ＴＸ）としての役割を果たし得る。モジュール５４−Ｎによって送信された信号は、アンテナ４６から第１の装置１０のアンテナ３０にＥＨＦリンク６２により伝達され得る。
【００９５】
第１の装置１０のＲＦモジュール４０−Ｎは、ＥＨＦリンク６２と関連付けられた送信された信号（例えば、第２のＥＨＦ帯域における信号）をアンテナ３０、送信ライン構造体２０８、デュプレクサ構造体１７０、及び送信ライン構造体２０２を介して受信し得る。ＲＦモジュール４０−Ｎは、受信された信号を経路１７４により伝達し得る。このようにして、ＲＦモジュール４０−Ｎは、第１の装置１０用のミリ波受信機（ＲＸ）としての役割を果たし得る。モジュール４０−１及び５４−１によって扱われる第１の周波数帯域は、例えば、６０ＧＨｚ周波数帯域、６２．５ＧＨｚ周波数帯域、５８．５ＧＨｚ周波数帯域、６０〜６２．５ＧＨｚの間の周波数における周波数帯域、１０〜５８．５ＧＨｚの間の周波数における周波数帯域、５８．５〜６０ＧＨｚの間の周波数における周波数帯域、又は、６２．５ＧＨｚより大きい周波数における周波数帯域であり得る。モジュール４０−Ｎ及び５４−Ｎによって扱われる第２の周波数帯域は、例えば、６０ＧＨｚ周波数帯域、６２．５ＧＨｚ周波数帯域、５８．５ＧＨｚ周波数帯域、６０〜６２．５ＧＨｚの間の周波数における周波数帯域、１０〜５８．５ＧＨｚの間の周波数における周波数帯域、５８．５〜６０ＧＨｚの間の周波数における周波数帯域、又は、６２．５ＧＨｚより大きい周波数における周波数帯域（例えば、第１及び第２の周波数帯域が、周波数分割複信を可能にするように異なる限り）であり得る。１つの特定の実施例では、ＲＦモジュール４０−１及びＲＦモジュール５４−１は６２．５ＧＨｚ周波数帯域におけるＥＨＦ信号を扱い、ＲＦモジュール４０−Ｎ及びＲＦモジュール５４−Ｎは５８．５ＧＨｚ周波数帯域におけるＥＨＦ信号を扱う。他の実施例では、ＲＦモジュール４０−１及び５４−１は５８．５ＧＨｚ周波数帯域におけるＥＨＦ信号を扱い、ＲＦモジュール４０−Ｎ及び５４−Ｎは６２．５ＧＨｚ周波数帯域におけるＥＨＧ信号を扱う。
【００９６】
第１の装置１０の無線周波回路３４は、デュプレクサ回路１７０等のフィルタ処理回路を含み得る。コンデンサベース及びインダクタベースのフィルタ処理構成要素は、１０ＧＨｚ以上の周波数を有するミリ波の信号に対する影響が殆どない。それにより、デュプレクサ１７０は、コンデンサ又はインダクタ構成要素を使用することなくミリ波信号フィルタ処理動作を実施し得る。デュプレクサ１７０は、１０ＧＨｚより大きい周波数において信号を扱いフィルタ処理することができるＥＨＦデュプレクサ構造体を含み得る。例えば、デュプレクサ１７０は、所望のフィルタ処理構造体を形成するために一緒に繋がった共振空洞及び導波構造体を含み得る。共振空洞及び導波構造体は、１０ＧＨｚより大きい周波数で信号を扱いフィルタ処理するように構成されたサイズ及び形状を有し得る。
【００９７】
デュプレクサ１７０は、送信ライン経路２００を介してＲＦモジュール４０−１に繋がった第１のポートと、送信ライン経路２０２を介してＲＦモジュール４０−Ｎに繋がった第２のポートと、送信ライン経路２０８を介してアンテナ３０に繋がった第３のポートとを有し得る。必要に応じて、増幅器回路が送信ライン構造体２００及び／又は２０２に介在し得る。デュプレクサ１７０における空洞及び導波フィルタ構造体は、経路２００及び２０２間に高い隔離を供給し得る。例えば、デュプレクサ１７０における空洞及び導波は、（例えば、リンク６０及び６２がそれぞれ６２．５ＧＨｚ及び５８．５ＧＨｚリンクであるシナリオでは）６２．５ＧＨｚ信号から５８．５ＧＨｚ信号を隔離するように所望の形状及び配置を有し得る。デュプレクサ１７０は、ＲＦモジュール４０−１によって送信された比較的高い大きさのＥＨＦ信号がＲＦモジュール４０−Ｎによって受信されることを防止する助けをし得、それによってＲＦモジュール間に高いＥＨＦ隔離を供給する。このようにして、デュプレクサ１７０は、第１及び第２のＥＨＦ周波数帯域におけるＥＨＦ信号が、ＲＦモジュール４０−１によってＲＦモジュール４０−Ｎに送信された信号からの干渉を生ずることなく、単一のアンテナ３０により同時に送信及び受信されることを可能にし得る。
【００９８】
第２の装置１２の無線周波回路５０は、デュプレクサ回路１７６等のフィルタ処理回路を含み得る。デュプレクサ１７６は、１０ＧＨｚより大きい周波数で信号を扱うことができるミリ波デュプレクサ回路であり得る。デュプレクサ１７６は、所望のフィルタ処理構造体を形成するために一緒に繋がった共振空洞及び導波構造体を含み得る。共振空洞及び導波構造体は、１０ＧＨｚより大きい周波数で信号を扱いフィルタ処理するように構成されたサイズ及び形状を有し得る。
【００９９】
デュプレクサ１７６は、送信ライン経路２０４を介してＲＦモジュール５４−Ｎに繋がった第１のポートと、送信ライン経路２０６を介してＲＦモジュール５４−１に繋がった第２のポートと、送信ライン経路２１０を介してアンテナ４６に繋がった第３のポートとを有し得る。必要に応じて、増幅器回路が送信ライン経路２０６及び／又は２０４に介在し得る。デュプレクサ１７６における空洞及び導波フィルタ構造体は、経路２０６及び２０４間に高い隔離を供給し得る。例えば、デュプレクサ１７０における空洞及び導波は、（例えば、リンク６０及び６２がそれぞれ６２．５ＧＨｚ及び５８．５ＧＨｚリンクであるシナリオでは）６２．５ＧＨｚ信号から５８．５ＧＨｚ信号を隔離するように所望の形状及び配置を有し得る。デュプレクサ１７６は、ＲＦモジュール５４−Ｎによって送信された比較的高い大きさのＥＨＦ信号がＲＦモジュール５４−１によって受信されることを防止する助けをし得、それによってＲＦモジュール間に高いＥＨＦ隔離を供給する。このようにして、デュプレクサ１７６は、ＥＨＦ信号が、ＲＦモジュール５４−ＮによってＲＦモジュール５４−１に送信された信号からの干渉を生ずることなく、単一のアンテナ４６により同時に送信及び受信されることを可能にし得る。図８に示されているように、高データレートＥＨＦデータリンク６０及び６２の両方は金属筐体１４における単一のアンテナ窓１６４を介して伝達される。リンク６０及び６２の両方を伝達するために単一のアンテナ窓を使用することは、２つのアンテナ窓１６０が形成されているシナリオと比較して美的感覚の向上及び製造複雑性の減少を可能にし得る。単一のアンテナ窓は、２つ以上のアンテナ窓が使用されるシナリオと比較して装置１０の回転感度も減少させ得る。
【０１００】
図８の実施例は例示的にすぎない。必要に応じて、デュプレクサ１７０及び１７８は、ダイプレクサー回路、又は１０ＧＨｚより大きい周波数において多数の信号を隔離する任意の他の所望の回路で置き換えられ得る。図８の実施例では、単一のアンテナが、装置ごとにＥＨＦ信号を伝達するために使用される。必要に応じて、２つ以上のアンテナが、ＥＨＦ信号を伝達するために各装置において使用され得る。
【０１０１】
図９は、装置１０がＥＨＦ信号を伝達するための多数のアンテナをいかにして含み得るかを示す例示的な図である。図９に示されているように、デュプレクサ回路１７０は、スイッチング回路２１１を介して多数のアンテナ２１４に繋げられ得る。アンテナ２１４は、図１〜図８と関連して上述したタイプのアンテナ３０等の２つ以上のアンテナを含み得る。アンテナ２１４は、例えば、２つのアンテナ、３つのアンテナ、４つのアンテナ、又は５つ以上のアンテナを含み得る。１つの好適な配置では、アンテナ２１４は、位相アンテナアレイであり得る。各アンテナ２１４は、必要に応じて、金属筐体１４における単一のアンテナ窓１６４を介してＥＨＦ信号を送信及び／又は受信し得る。
【０１０２】
各アンテナ２１４は、一緒に使用され得、又はアンテナのうちの１つ以上は、他のアンテナが使用不可能状態に切り換えられている間に使用可能状態に切り換えられ得る。必要に応じて、記憶及び処理回路１６（図２）等の制御回路は、リアルタイムでＥＨＦ通信に使用するために最適なアンテナを選択するために、及び／又は、１つ以上のアンテナ２１４と関連付けられた調節可能な無線回路用の最適な設定を選択するために使用され得る。アンテナ調節は、所望の周波数範囲で実施するために、且つビームステアリングを実施する（例えば、アンテナ２１４が位相アンテナアレイを含むシナリオにおいて）ために、且つさもなければアンテナ性能を最適化するためにアンテナを同調するために行われ得る。例えば、制御回路１６は、制御信号２１２をスイッチ２１１に供給することによってスイッチ２１１を制御し得る。制御回路１６は、（例えば、送信ライン２０８によりアンテナをデュプレクサ１７０に繋げることによって）１つ以上のアンテナ２１４を使用可能状態に切り換えつつ他のアンテナ２１４を（例えば、アンテナを送信ライン２０８から分離することによって）使用不可能に切り換えるために制御信号２１２を使用し得る。
【０１０３】
幾つかの構成では、アンテナ２１４は、アンテナアレイ（例えば、ビームステアリング機能を実施するための位相アンテナアレイ）を含み得る。例えば、極高周波数無線送受信機モジュール４０用のミリ波信号を扱う際に使用されるアンテナは、位相アンテナアレイとして実装され得る。ミリ波通信をサポートするための位相アンテナアレイにおける放射素子は、パッチアンテナ、ダイポールアンテナ、又は他の好適なアンテナ素子であり得る。必要に応じて、アンテナ２１４は、ＲＦモジュール４０と一体化されて、一体化された位相アンテナアレイ及び送受信機回路モジュールを形成し得る。必要に応じて、制御回路１６は、スイッチ２１１を調節して、アンテナ２１４のアレイによりビームステアリングを実施し得る。このシナリオでは、無線周波回路３４は、（例えば、送信された信号が所望の方向に効果的に向けられるように、送信された信号が山部と谷部とを有するように）アンテナ２１４それぞれに供給された信号の相対位相を調節する位相調節回路（図示せず）を含み得る。図９の実施例は、通信システム８の第１の装置１０と関連して説明されているが、第２の装置１２は多数のアンテナが単一のアンテナ窓１７８を介してＥＨＦ信号を伝達することを可能にするための同様の構造体を含み得る。
【０１０４】
必要に応じて、図８及び図９に示されているようにＲＦモジュール４０−１、４０−Ｎ、５４−１、及び５４−Ｎは、図３と関連して上述したような能動的フィードバック送信電力レベル調節を実施し得る。例えば、ＲＦモジュール１１０は、確立されたＥＨＦリンク６２が許容できないリンク品質を有すると能動的に判定し得る。ＲＦモジュール４０−Ｎは、リンク６２の送信電力レベルに行われるべき変更を識別する制御経路１１０によりＲＦモジュール４０−１に制御信号を伝達し得る。他の好適な配置では、処理回路１６（図１）は、リンク６２の送信電力レベルに行われるべき変更を識別するＲＦモジュール４０−１に制御信号を伝達し得る。ＲＦモジュール４０−１は、制御信号がアンテナ窓１６４を介して第２の装置１２のアンテナ４６に（例えば、ＥＨＦリンク６０により）伝達されるように、送信経路２００、デュプレクサ１７０、送信経路２０８、及びアンテナ３０により制御信号を送信し得る。
【０１０５】
制御信号は、送信ライン２１０、デュプレクサ１７６、及び送信ライン２０６によりＲＦモジュール５４−１に送られ得る。ＲＦモジュール５４−１における制御回路７９は、受信された制御信号を識別し得、経路１１０により制御信号をＲＦモジュール５４−Ｎに送り得る。ＲＦモジュール５４−Ｎは、受信された制御信号に基づいて送信電力レベル調節を実施し得る。送信電力レベル調節は、ＥＨＦリンク６２のリンク品質に影響を及ぼし得る。第１の装置１０は、リンク６２の品質を評価し続け得る。第１の装置１０が、調節された送信電力レベルが結果としてＥＨＦリンク６２に十分なリンク品質を有すると判定した場合、データは正常に送信され続け得る。第１の装置１０が、調節された送信電力レベルが結果としてＥＨＦリンク６２に不十分なリンク品質を依然として有すると判定した場合、第１の装置１０は追加の制御信号を第２の装置１２に供給して、第２の装置１２に追加の送信電力レベル調節を実施するように指示し得る。同様の手順がＥＨＦリンク６０用の送信電力レベルを調節するために装置１０及び１２によって実施され得る。必要に応じて、第１の装置１０及び／又は第２の装置１２は、図５と関連して上述したようにＥＨＦリンク６０及び６２の品質を評価する際に、疑似ランダムビットシーケンスを生成し疑似ランダムビットシーケンスを窓１６４及び１７８を介して送信し得る（例えば、送信電力レベル調節が行われる必要があるかを判定するために、又はリンク６０及び６２の任意の他の所望の特徴付けを実施する際に）。
【０１０６】
第１の装置１０における無線周波回路３４は、オープンシステムインターコネクション（ＯＳＩ）モデルの物理層で動作し得る。一般的に、ＯＳＩモデルは７つのネットワークプロトコル層を含む。ＯＳＩモデルの層は積み重ねられて階層を形成し、階層のうち、物理層（ＰＨＹ）は第１の最低層（層１）にあり、アプリケーション層は第７の最高層にある。無線周波回路３４は、ＲＦ  ＰＨＹ回路３４又は層１回路３４と本明細書においてしばしば称されることもある。ＲＦ  ＰＨＹ回路３４は、ベースバンドプロセッサ３２から受信されたデータ及びアンテナ２１４により受信されたデータにビームステアリング動作等の層１処理動作を実施し得る。必要に応じて、ベースバンドプロセッサ３２は、いかなるＯＳＩエンコーディング動作もデータに実施することなくＲＦ  ＰＨＹ回路３４にデータを伝達し得る。これは、ＲＦ  ＰＨＹ回路３４と比較して、且つベースバンドプロセッサ３２がＯＳＩエンコーディング動作を実施するシナリオと比較してベースバンドプロセッサ３２のサイズの減少を可能にし得る。
【０１０７】
図１０は、簡略化されたベースバンド処理回路が信号を装置１０におけるＲＦ  ＰＨＹ回路にいかにして伝達し得るかを示す例示的な図である。図１０に示されているように、ベースバンドプロセッサ回路３２は、経路２２２により送信用のデータを受信し得る。ベースバンドプロセッサ回路３２は、ＲＦモジュール４０の一部（例えば、図３の実施例において回路７５によって示されているように）として形成され得、又は、モジュールとは別個に形成され得る。例として、記憶及び処理回路１６は、送信用のデータをベースバンドプロセッサ３２に経路２２２により供給し得る。ベースバンドプロセッサ３２は、受信されたデータのストリームをＲＦ  ＰＨＹ回路２２０に伝達し得る。ＲＦ  ＰＨＹ回路２２０は、ＯＳＩモデルの物理層（層１）で動作し得る。ＲＦ  ＰＨＹ回路２２０は、物理層チップ又はＰＨＹチップと本明細書においてしばしば称される単一の集積回路上に形成され得る。ＲＦ  ＰＨＹチップ２２０は、例えば、図１、図８、及び図９に示されたタイプの無線周波回路３４を含み得る。
【０１０８】
ベースバンドプロセッサ３２は、経路２２２により受信されたデータにいかなるエンコーディング動作も実施しない簡略化されたベースバンドプロセッサであり得る。例えば、ベースバンド３２は、データをパケット化することなく（例えば、パケットベースの通信プロトコルに従ってデータをパケットのストリームに配置することなく）、又は、フレームヘッダをデータに追加することなく、経路２２２により受信されたデータのストリームをＲＦ  ＰＨＹ回路２２０に伝送し得る。必要に応じて、ベースバンド回路３２は、経路２２２により受信されたデータに振幅偏移（ＡＳＫ）変調を実施し得る。データにＡＳＫ変調を実施することは、データを搬送波の振幅の変動として表し得る。ＡＳＫ変調されたデータはＲＦ  ＰＨＹ２２０に送信され得る。同様にして、ベースバンド回路３２は、ＲＦ  ＰＨＹ回路２２０から受信されたデータにＡＳＫ復調を実施し得る。必要に応じて、ベースバンド３２は、受信されたデータを同相及び直角位相（Ｉ／Ｑ）データの形態でＲＦ  ＰＨＹ回路２２０に供給し得る。
【０１０９】
ＲＦ  ＰＨＹ回路２２０は、ベースバンド３２から受信されたデータにＯＳＩ物理層動作を実施し得る。必要に応じて、ＲＦ  ＰＨＹ回路２２０は、ＥＨＦ信号を使用してＩＥＥＥ  ８０２．１１ａｄ通信動作を実施し得る。例えば、ＰＨＹ回路２２０は、ＩＥＥＥ  ８０２．１１ａｄ通信と関連付けられたＩＥＥＥ  ８０２．１１ａｄエンコーディング及びビームステアリング動作をベースバンド３２から受信されたデータに実施して、アンテナ２１４のアレイによりデータを送信し得る。ベースバンド３２はデータ用のいかなるパケット又はフレームヘッダも生成する必要がないため、ベースバンド３２は、データパケット化を実施するベースバンドプロセッサと比較して、且つＲＦ  ＰＨＹ回路２２０のサイズと比較して小さいサイズを有し得る。例えば、ベースバンド３２は、横寸法Ｌ２を有し得、ＲＦ  ＰＨＹ回路２２０は横寸法Ｌ１よりも大きい横寸法Ｌ１を有する。例として、ベースバンドプロセッサ３２は、５ｍｍ×５ｍｍ以下のサイズを有し得、ＲＦ  ＰＨＹ回路２２０は１０ｍｍ×１０ｍｍ以上のサイズを有する。ベースバンド回路３２の小さいサイズは、ＩＥＥＥ  ８０２．１１ａｄビームステアリング等の複雑な動作が実施されることを依然として可能にしつつ、より複雑なベースバンド回路が使用されるシナリオと比較して装置１０における無線回路のサイズの全体的に減少に貢献し得る。第１の装置１０に関連して説明されているが、図１０の構成要素は、必要に応じて、第２の装置１２の無線回路を形成するために使用され得る。
【０１１０】
図７〜図９の実施例において、単一のアンテナ窓１６４がＥＨＦ通信リンク６０及び６２の両方を伝達するために装置１０に形成されている。単一のアンテナ窓を介して多数のＥＨＦ通信リンクを伝達することは、他のＥＨＦ装置と通信する場合に装置１０の回転感度を除去し得る。
【０１１１】
図１１は、外部装置とＥＨＦ帯域において通信する場合に、第１の装置１０の単一のアンテナ窓１６４が装置１０を回転的に鈍感にすることをいかにして可能にし得るかを示す例示的な図である。図１１に示されているように、第１の装置１０は、外部装置２３６とＥＨＦリンク６０及び６２を介して通信可能に繋がれ得る。外部装置２３６は、図１、図８、及び図９に示されているように装置１２等の二次装置であり得る。図１１の実施例では、装置２３６は周辺マット又はドッキング装置である。一次装置１０は、（例えば、装置１０のユーザによって）マット装置２３６の上部に置かれ得る。マット装置２３６は、例えば、装置１０がマット装置２３６の上部に置かれた状態で、ＥＨＦリンク６０及び６２により装置１０との無線データ同期動作を実施し得る。リンク６０及び６２の高データレートは、より低い周波数リンクが使用される場合よりも更に迅速にデータの同期動作が実施されることを可能にし得る。必要に応じて、マット２３６は、装置１０がマット２３６の上部に置かれた場合に、装置１０に無線充電動作（例えば、装置１０のバッテリを無線で充電するために）、又は、装置１０をサポートするための任意の他の所望の無線動作を実施し得る。
【０１１２】
図１１に示されているように、周辺装置２３６は、ＥＨＦ信号を伝達するための幾つかのアンテナ２３４を含み得る。アンテナ２３４は、装置２３６の上面にアンテナの繰り返しアレイで配置され得る。アンテナ２３４は、各誘電体アンテナ窓の後ろに形成され得、又は、装置２３６用の誘電体カバーの後ろに形成され得る。
【０１１３】
第１の装置１０が各ＥＨＦリンク６０及び６２を伝達するために２つの別個のアンテナ窓（例えば、図６に示されているような窓１６０）を有するシナリオでは、窓は、リンクが適切に確立されるために、且つ２つの装置間で高データレート転送が行われるようにするために、装置２３６の２つの対応するアンテナ２３４と重なり合う必要がある。第１の装置１０を周辺装置２３６に配置する際に注意を払わないと、２つのアンテナ窓のうちの１つが装置２３６の２つの対応するアンテナ２３４に対するずれが生じ得る。このようなずれは、ＥＨＦリンク６０及び６２が装置１０及び１２間で確立されることを妨げ得る。
【０１１４】
図１１の実施例は、装置１０がＥＨＦリンク６０及び６２の両方を（例えば、図８及び図９に示された周波数複信スキーム等の周波数複信スキームを使用して）伝達するための単一のアンテナ窓１６４を有するシナリオを示す。第１の装置１０は、位置２３２及び２３０等の装置２３６の幾つかの異なる位置及び向きで配置され得る。第１の装置１０はＥＨＦリンク６０及び６２の両方を伝達するための単一のアンテナ窓１６４だけを含むため、装置１０は、２つの別個のアンテナ窓１６０が使用される場合よりも、（装置１０の向きに関わらず）装置２３６の対応するアンテナ２３４と簡単に整列され得る。これは、ＥＨＦリンク６０及び６２が確立され、周辺装置２３６の上部にある第１の装置１０の向き及び位置に関わらず周辺装置２３６と維持されることを可能にし得る。換言すれば、ＥＨＦリンク６０及び６２の両方を伝達するための単一のアンテナ窓１６４を形成することは、第１の装置１０を１０ＧＨｚより大きい周波数において無線リンクによって二次装置２３６と高速データ転送動作を実施することについて回転的に鈍感又は不変にすることを可能にし得る。これは、例えば、第１の装置１０のユーザが、装置１０の多数のアンテナ窓が装置２３６の２つの対応するアンテナと整列されることを確実にするために時間及びエネルギーを費やすことなく、装置２３６上に装置１０を配置することを可能にし得る。
【０１１５】
データ転送動作を実施するために装置１０及び１２によって得ることができる高データレート（例えば、５００Ｍｂｐｓ以上、毎秒１ビット以上、毎秒５００メガバイト（ＭＢｐｓ）以上等）は、より低い周波数が使用されるシナリオと比較して、短時間又は更には気付かれない程度の時間で比較的大きいデータファイルが装置間で無線転送されることを可能にし得る。サポートされた高データレートは、例えば、第１の装置１０が複雑な処理動作を二次装置１２に負荷軽減させることを可能にし得る。例えば、第２の装置１２は、第１の装置１０よりも大きい処理力を有する処理回路を含み得る。必要に応じて、第１の装置１０は、ＥＨＦリンク６０及び６２を介して複雑な処理動作を二次装置１２に負荷軽減させ得る。第２の装置１２が、第１の装置１０自体が処理動作を実施した場合よりも短い時間で、処理のために第１の装置１０からデータを受信し負荷軽減された処理動作を受信されたデータに実施し処理されたデータをリンク６０及び６２により戻すことができるように、第２の装置１２は十分な処理力を有し得、ＥＨＦリンク６０及び６２は十分な帯域幅（データレート）を有し得る。無線リンクによるデータ転送動作が実施されることによって、嵩張る有線データポートはシステムから省略され得る。単一のアンテナ窓１６４の使用は、ＥＨＦリンク６０及び６２により通信する場合に装置１０と１２との間の回転不変性、装置の美的感覚の向上、及び製造複雑性の減少を可能にし得る。装置１０と１２との間で能動的な送信電力フィードバックを使用することは、装置１０及び１２に対する動作条件が時間とともに変化しても、リンク６０及び６２が最適なリンク品質で維持されることを可能にし得る。
【０１１６】
上記説明は例示的にすぎず、記載された実施形態の範囲及び精神から逸脱することなく当業者によって様々な変更がなされ得る。上述の実施形態は、個別で又は任意の組合せで実施され得る。
【図１】
0003211410.tif 000003
【図２】
0003211410.tif 000004
【図３】
0003211410.tif 000005
【図４】
0003211410.tif 000006
【図５】
0003211410.tif 000007
【図６】
0003211410.tif 000008
【図７】
0003211410.tif 000009
【図８】
0003211410.tif 000010
【図９】
0003211410.tif 000011
【図１０】
0003211410.tif 000012
【図１１】
0003211410.tif 000013
【手続補正書】
【提出日】平成29年5月9日(2017.5.9)
【手続補正１】
【補正対象書類名】実用新案登録請求の範囲
【補正対象項目名】全文
【補正方法】変更
【補正の内容】
【実用新案登録請求の範囲】
【請求項１】
外部電子装置と無線通信する電子装置であって、
導電筐体と、
前記導電筐体における誘電体アンテナ窓と、
第１のＥＨＦ帯域において第１の極高周波数（ＥＨＦ）信号を生成する第１の無線周波送受信機と、
前記誘電体アンテナ窓を通って前記第１のＥＨＦ信号を前記外部電子装置に送信し、前記誘電体アンテナ窓を通って第２のＥＨＦ信号を前記外部電子装置から受信するアンテナであって、前記第２のＥＨＦ信号は前記第１のＥＨＦ帯域と異なる第２のＥＨＦ帯域にある、アンテナと、
前記アンテナから前記第２のＥＨＦ信号を受信する第２の無線周波送受信機と、
前記第１の無線周波送受信機に繋がる第１のポート、前記第２の無線周波送受信機に繋がる第２のポート、及び、前記アンテナに繋がる第３のポートを有するデュプレクサであって、前記デュプレクサは前記第２のＥＨＦ信号から前記第１のＥＨＦ信号を隔離するよう構成される、デュプレクサと、
を備える電子装置。
【請求項２】
前記第１の無線周波送受信機は第１の無線周波モジュールに形成され、前記第２の無線周波送受信機は前記第１の無線周波モジュールとは異なる第２の無線周波モジュールに形成される、請求項１に記載の電子装置。
【請求項３】
前記デュプレクサは共振導波構造体を有する、請求項１に記載の電子装置。
【請求項４】
前記第１及び第２のＥＨＦ帯域はそれぞれ１０ＧＨｚより大きい周波数を有する、請求項１に記載の電子装置。
【請求項５】
前記第１のＥＨＦ帯域は６２．５ＧＨｚ周波数帯域を有し、前記第２のＥＨＦ帯域は５８．５ＧＨｚ周波数帯域を有する、請求項４に記載の電子装置。
【請求項６】
前記外部電子装置は、送信電力レベルで前記第２のＥＨＦ信号を送信し、
前記電子装置は、
前記受信した第２のＥＨＦ信号と関連付けられるリンク品質を識別するよう構成され、且つ、前記識別したリンク品質に基づいて制御信号を生成するよう構成される処理回路を更に備え、
前記アンテナは前記第１のＥＨＦ帯域において前記誘電体アンテナ窓を通って前記制御信号を前記外部電子装置に送信するよう構成され、
前記送信した制御信号は前記外部電子装置に前記第２のＥＨＦ信号の送信電力レベルを調節するよう指示する、請求項１に記載の電子装置。
【請求項７】
前記アンテナは、送信電力レベルで前記第１のＥＨＦ信号を送信するよう構成され、前記アンテナは前記第２のＥＨＦ帯域において前記外部電子装置から制御信号を受信するよう構成され、前記第２の無線周波送受信機は前記アンテナによって受信された前記制御信号を前記第１の無線周波送受信機に伝達するよう構成され、前記第１の無線周波送受信機は前記制御信号に基づいて前記送信電力レベルを調節するよう構成される、請求項１に記載の電子装置。
【請求項８】
追加のアンテナであって、前記追加のアンテナは前記誘電体アンテナ窓を通って前記第１のＥＨＦ信号を前記外部電子装置に送信するよう構成され、且つ、前記誘電体アンテナ窓を通って前記第２のＥＨＦ信号を前記外部電子装置から受信するよう構成される、追加のアンテナを更に備える、請求項１に記載の電子装置。
【請求項９】
前記アンテナを含む位相アンテナアレイと、
制御回路であって、前記制御回路は前記位相アンテナアレイを制御して前記誘電体アンテナ窓を通って前記第１のＥＨＦ信号にビームステアリング動作を実施するよう構成される、制御回路と、
を更に備える、請求項１に記載の電子装置。
【請求項１０】
前記第１の無線周波送受信機の入力に繋がるベースバンドプロセッサ回路であって、前記ベースバンドプロセッサ回路はベースバンド信号のどのパケット化も実施することなく前記第１のＥＨＦ信号に対応する前記ベースバンド信号を前記第１の無線周波送受信機に送るよう構成される、ベースバンドプロセッサ回路を更に備える、請求項１に記載の電子装置。
【請求項１１】
前記第１の無線周波送受信機は、デバッグ回路であって、前記デバッグ回路はテストビットの疑似ランダムシーケンスを生成するよう構成され、前記誘電体アンテナ窓を通って前記外部電子装置への送信のために前記アンテナに前記テストビットの疑似ランダムシーケンスを注入するよう構成される、デバッグ回路を有する、請求項１に記載の電子装置。
【請求項１２】
ディスプレイカバー層を有するディスプレイを更に備え、前記導電筐体は前記ディスプレイカバー層に対向する前記電子装置に対する平面背面を有し、前記導電筐体は前記平面背面から前記ディスプレイカバー層まで延在する側壁構造体を含み、前記誘電体アンテナ窓は前記導電筐体の前記平面背面における開口部に形成される、請求項１に記載の電子装置。
【請求項１３】
ミリ波回路、制御回路、及び、アンテナ構造体を含む、外部通信機器とミリ波無線通信を実施する電子装置であって、
前記ミリ波回路は、第１のミリ波通信帯域において無線周波信号を生成するよう構成され、
前記アンテナ構造体は、送信電力レベルで前記無線周波信号を前記外部通信機器に送信するよう構成され、
前記アンテナ構造体は、第２のミリ波通信帯域において無線制御信号を前記外部通信機器から受信するよう構成され、前記第１及び第２のミリ波通信帯域それぞれが１０ＧＨｚより大きい周波数を含み、
前記制御回路は、前記受信した無線制御信号に基づいて前記送信電力レベルを調節するよう構成される、
電子装置。
【請求項１４】
前記電子装置は、前記制御信号を受信する追加のミリ波回路を含み、前記制御回路は前記追加のミリ波回路に対して制御ロジックを有し、
前記送信電力レベルを調節することは、前記制御ロジックを用いて、チップ間通信路により送信電力レベル調節を識別する制御信号をミリ波回路に供給することを含む、請求項１３に記載の電子装置。
【請求項１５】
前記アンテナ構造体は、前記外部通信機器から前記第２のミリ波通信帯域において追加の無線周波信号を受信するよう構成され、前記追加の無線周波信号は無線制御信号とは別個であり、
前記追加のミリ波回路は、前記受信した追加の無線周波信号を前記制御回路に伝達するよう構成される、
請求項１４に記載の電子装置。
【請求項１６】
前記制御回路は、前記受信した追加の無線周波信号と関連付けられるリンク品質が十分かを判定するよう構成され、
前記制御回路は、前記受信した追加の無線周波信号と関連付けられるリンク品質が不十分であると識別したことに応じて前記外部通信機器に対する電力レベル調節を識別する追加の無線制御信号を生成するよう構成され、
前記ミリ波回路は、前記第１のミリ波通信帯域において前記アンテナ構造体を通じて前記追加の無線制御信号を前記外部通信機器に送信するよう構成される、
請求項１５に記載の電子装置。
【請求項１７】
前記受信した追加の無線周波信号と関連付けられるリンク品質が十分かを判定することは、前記受信した追加の無線周波信号から無線性能指標データを生成することを含み、前記第１及び第２のミリ波通信帯域はそれぞれ６０ＧＨｚ周波数帯域を有し、前記電子装置は、第１及び第２の誘電体アンテナ窓を含む導電筐体を有し、前記アンテナ構造体は、第１及び第２のアンテナを有し、前記第１のアンテナは前記第１の誘電体アンテナ窓を通って前記無線周波信号を送信し、前記第２のアンテナは前記第２の誘電体アンテナ窓を通って前記無線制御信号及び前記追加の無線周波信号を受信する、請求項１６に記載の電子装置。
【請求項１８】
前記アンテナ構造体はアンテナを含み、前記電子装置は前記ミリ波回路に繋がる第１のポート、前記追加のミリ波回路に繋がる第２のポート、及び、前記アンテナに繋がる第３のポートを有するデュプレクサを含み、
前記デュプレクサは、前記無線周波信号を前記第１のポートから前記第３のポートに伝達するよう構成され、
前記デュプレクサは、前記追加の無線周波信号及び前記無線制御信号を前記第３のポートから前記第２のポートに伝達するよう構成され、
前記デュプレクサは、前記第１のミリ波通信帯域において前記無線周波信号から前記第２のポートを隔離するよう構成され、前記電子装置は誘電体アンテナ窓を有する導電筐体を含み、
前記アンテナは、前記誘電体アンテナ窓を通って前記無線周波信号を前記外部通信機器に送信するよう構成され、
前記アンテナは、前記誘電体アンテナ窓を通って前記追加の無線周波信号及び前記無線制御信号を無線機器から受信するよう構成され、前記第１のミリ波通信帯域は１０ＧＨｚ〜６０ＧＨｚの通信帯域を含み、前記第２のミリ波通信帯域は６０ＧＨｚ〜４００ＧＨｚの通信帯域を含む、
請求項１６に記載の電子装置。
【請求項１９】
外部装置と無線通信するよう構成される電子装置であって、
ディスプレイと、
前記ディスプレイに対向する背面を有する金属筐体と、
前記金属筐体の前記背面における誘電体窓と、
第１のミリ波周波数帯域において無線周波信号を生成する無線周波モジュールと、
前記誘電体窓を通って前記外部装置から第２のミリ波周波数帯域において無線制御信号を受信し、前記誘電体窓を通って前記生成された無線周波信号を前記外部装置に送信するアンテナであって、前記アンテナは無線周波信号を送信電力レベルで送信し、前記第２のミリ波周波数帯域は前記第１のミリ波周波数帯域と異なる、アンテナと、
前記受信した無線制御信号に基づいて前記送信電力レベルを調節するよう構成される制御回路と、
前記無線周波モジュールと前記アンテナとの間に連結されるデュプレクサであって、前記デュプレクサは前記第２のミリ波周波数帯域から前記第１のミリ波周波数帯域を隔離するよう構成される、デュプレクサと、
を備える電子装置。
【請求項２０】
前記アンテナは前記誘電体窓を通って前記第２のミリ波帯域において追加の無線周波信号を受信するよう構成され、前記電子装置は、
前記デュプレクサを通って前記追加の無線周波信号を受信し、前記追加の無線周波信号を前記制御回路に伝達する追加の無線周波モジュールを更に備え、前記制御回路は前記受信した追加の無線周波信号に基づいて前記外部装置に対する送信電力レベル調節を識別し、前記無線周波モジュールは前記アンテナを通じ前記第１のミリ波周波数帯域において前記外部装置に対する前記送信電力レベル調節を識別する追加の無線制御信号を前記外部装置に送信するよう構成され、前記第１のミリ波周波数帯域は５８．５ＧＨｚ周波数帯域を有し、前記第２のミリ波周波数帯域は６２．５ＧＨｚ周波数帯域を有する、請求項１９に記載の電子装置。